(57)【要約】  本発明のユーザ端末は、上り制御チャネルを用いて上り制御情報を送信する送信部と、前記上り制御チャネル用の異なる数のリソースを少なくとも示す複数のインデックス値の中からセットされるインデックス値を含むシステム情報を受信する受信部と、前記システム情報に含まれる前記インデックス値が示す一以上のリソースの中から、下り制御情報内のビット値及び黙示値の少なくとも一つに基づいて、前記上り制御情報の送信用のリソースを決定する制御部と、を具備することを特徴とする。
2019163111.tif 000002
【特許請求の範囲】
【請求項１】
上り制御チャネルを用いて上り制御情報を送信する送信部と、
前記上り制御チャネル用の異なる数のリソースを少なくとも示す複数のインデックス値の中からセットされるインデックス値を含むシステム情報を受信する受信部と、
前記システム情報に含まれる前記インデックス値が示す一以上のリソースの中から、下り制御情報内のビット値及び黙示値の少なくとも一つに基づいて、前記上り制御情報の送信用のリソースを決定する制御部と、を具備することを特徴とするユーザ端末。
【請求項２】
前記システム情報に含まれる前記インデックス値は、前記ビット値だけで前記送信用のリソースを決定可能な数のリソースを示す一以上のインデックス値と、前記ビット値及び前記黙示値の組み合わせによって前記送信用のリソースを決定可能な数のリソースを示す一以上のインデックス値との中からセットされることを特徴とする請求項１に記載のユーザ端末。
【請求項３】
前記インデックス値が示す前記一以上のリソースに含まれるパラメータ値を規定するテーブルを記憶する記憶部を具備することを特徴とする請求項１又は請求項２に記載のユーザ端末。
【請求項４】
前記インデックス値が示す前記一以上のリソースの中の特定のリソースに含まれるパラメータ値を規定するテーブルを記憶する記憶部を具備し、
前記制御部は、前記規定されたパラメータ値に基づいて、前記一以上のリソースの中の他のリソースに含まれるパラメータ値を導出することを特徴とする請求項１又は請求項２に記載のユーザ端末。
【請求項５】
上り制御チャネルを用いて上り制御情報を受信する受信部と、
前記上り制御チャネル用の一以上のリソースを示すインデックス値を含むシステム情報を送信する送信部と、
前記上り制御チャネル用の異なる数のリソースを少なくとも示す複数のインデックス値の中から前記インデックス値を決定する制御部と、
を具備することを特徴とする無線基地局。
【請求項６】
ユーザ端末において、
上り制御チャネルを用いて上り制御情報を送信する工程と、
前記上り制御チャネル用の異なる数のリソースを少なくとも示す複数のインデックス値の中からセットされるインデックス値を含むシステム情報を受信する工程と、
前記システム情報に含まれる前記インデックス値が示す一以上のリソースの中から、下り制御情報内のビット値及び黙示値の少なくとも一つに基づいて、前記上り制御情報の送信用のリソースを決定する工程と、
を有することを特徴とする無線通信方法。
【発明の詳細な説明】
【技術分野】
【０００１】
本発明は、次世代移動通信システムにおけるユーザ端末、無線基地局及び無線通信方法に関する。
【背景技術】
【０００２】
ＵＭＴＳ（Universal  Mobile  Telecommunications  System）ネットワークにおいて、さらなる高速データレート、低遅延などを目的としてロングタームエボリューション（ＬＴＥ：Long  Term  Evolution）が仕様化された（非特許文献１）。また、ＬＴＥからの更なる広帯域化及び高速化を目的として、ＬＴＥの後継システム（例えば、ＬＴＥ−Ａ（LTE-Advanced）、ＦＲＡ（Future  Radio  Access）、４Ｇ、５Ｇ、５Ｇ＋（plus）、ＮＲ（New  RAT）、ＬＴＥ  Ｒｅｌ．１４、１５〜、などともいう）も検討されている。【０００３】
既存のＬＴＥシステム（例えば、ＬＴＥ  Ｒｅｌ．８−１３）では、１ｍｓのサブフレーム（伝送時間間隔（ＴＴＩ：Transmission  Time  Interval）等ともいう）を用いて、下りリンク（ＤＬ：Downlink）及び／又は上りリンク（ＵＬ：Uplink）の通信が行われる。当該サブフレームは、チャネル符号化された１データパケットの送信時間単位であり、スケジューリング、リンクアダプテーション、再送制御（ＨＡＲＱ：Hybrid  Automatic  Repeat  reQuest）などの処理単位となる。【０００４】
また、既存のＬＴＥシステム（例えば、ＬＴＥ  Ｒｅｌ．８−１３）では、ユーザ端末は、上り制御チャネル（例えば、ＰＵＣＣＨ：Physical  Uplink  Control  Channel）又は上り共有チャネル（例えば、ＰＵＳＣＨ：Physical  Uplink  Shared  Channel）を用いて、上り制御情報（ＵＣＩ：Uplink  Control  Information）を送信する。当該上り制御チャネルの構成（フォーマット）は、ＰＵＣＣＨフォーマット等と呼ばれる。
【先行技術文献】
【非特許文献】
【０００５】
【非特許文献１】3GPP  TS  36.300  V8.12.0  “Evolved  Universal  Terrestrial  Radio  Access  (E-UTRA)  and  Evolved  Universal  Terrestrial  Radio  Access  Network  (E-UTRAN);  Overall  description;  Stage  2  (Release  8)”、２０１０年４月
【発明の概要】
【発明が解決しようとする課題】
【０００６】
将来の無線通信システム（例えば、ＬＴＥ  Ｒｅｌ．１５以降、５Ｇ、５Ｇ＋、ＮＲなど）では、ＵＣＩの送信に用いる上り制御チャネル用のリソース（例えば、ＰＵＣＣＨリソース）をユーザ端末に割り当てる（allocate）方法が検討されている。【０００７】
例えば、ＲＲＣ（Radio  Resource  Control）コネクションのセットアップ（setup）後においては、上位レイヤシグナリング（例えば、ＲＲＣ（Radio  Resource  Control）シグナリング）により設定（configure）される一以上のＰＵＣＣＨリソースの中から、下り制御情報（ＤＣＩ：Downlink  Control  Information）内のビット値及び黙示値の少なくとも一つに基づいて、ＵＣＩの送信に用いるＰＵＣＣＨリソースを割り当てることが検討されている。【０００８】
また、ＲＲＣコネクションのセットアップ前においては、ユーザ端末は、仕様により予め定められた一以上のＰＵＣＣＨリソースの中から、ＤＣＩ内のビット値及び黙示値の少なくとも一つに基づいて、ＵＣＩの送信に用いるＰＵＣＣＨリソースを割り当てることが検討されている。【０００９】
しかしながら、上記方法では、ＵＣＩの送信に用いるＰＵＣＣＨリソースを適切にユーザ端末に割り当てることができない恐れがある。【００１０】
本発明はかかる点に鑑みてなされたものであり、適切に割り当てられるＰＵＣＣＨリソースを用いてＵＣＩを送信可能なユーザ端末、無線基地局及び無線通信方法を提供することを目的の一つとする。
【課題を解決するための手段】
【００１１】
本発明のユーザ端末の一態様は、上り制御チャネルを用いて上り制御情報を送信する送信部と、前記上り制御チャネル用の異なる数のリソースを少なくとも示す複数のインデックス値の中からセットされるインデックス値を含むシステム情報を受信する受信部と、前記システム情報に含まれる前記インデックス値が示す一以上のリソースの中から、下り制御情報内のビット値及び黙示値の少なくとも一つに基づいて、前記上り制御情報の送信用のリソースを決定する制御部と、を具備することを特徴とする。【００１２】
本発明の無線基地局の一態様は、上り制御チャネルを用いて上り制御情報を受信する受信部と、前記上り制御チャネル用の一以上のリソースを示すインデックス値を含むシステム情報を送信する送信部と、前記上り制御チャネル用の異なる数のリソースを少なくとも示す複数のインデックス値の中から前記インデックス値を決定する制御部と、を具備することを特徴とする。
【発明の効果】
【００１３】
本発明によれば、ＵＣＩの送信に用いるＰＵＣＣＨリソースを適切にユーザ端末に割り当てることができる。
【図面の簡単な説明】
【００１４】
【図１】図１は、第１の態様に係るＰＵＣＣＨリソース数の第１の制御例を示す図である。
【図２】図２は、第１の態様に係るＤＣＩ内のビット値及び黙示値に基づくＰＵＣＣＨリソースの決定の一例を示す図である。
【図３】図３は、第１の態様に係るＤＣＩ内のビット値に基づくＰＵＣＣＨリソースの決定の一例を示す図である。
【図４】図４は、第１の態様に係るＰＵＣＣＨリソース数の第２の制御例を示す図である。
【図５】図５は、第１の態様に係るＤＣＩ内のビット値及び黙示値に基づくＰＵＣＣＨリソースの決定の他の例を示す図である。
【図６】図６は、第２の態様に係るＰＵＣＣＨリソースのパラメータ値の決定例を示す図である。
【図７】図７Ａ及び７Ｂは、第２の態様に係るＰＵＣＣＨ用のリソース領域の一例を示す図である。
【図８】図８は、第２の態様に係る周波数リソース情報の導出の一例を示す図である。
【図９】図９Ａ及び９Ｂは、第２の態様に係る初期ＣＳインデックスの導出の一例を示す図である。
【図１０】図１０は、第２の態様に係るＯＣＣインデックスの導出の一例を示す図である。
【図１１】図１１Ａ及び１１Ｂは、第２の態様に係る初期ＣＳインデックスの導出の他の例を示す図である。
【図１２】図１２Ａ及び１２Ｂは、第２の態様に係るＯＣＣインデックスの導出の他の例を示す図である。
【図１３】図１３は、本実施の形態に係る無線通信システムの概略構成の一例を示す図である。
【図１４】図１４は、本実施の形態に係る無線基地局の全体構成の一例を示す図である。
【図１５】図１５は、本実施の形態に係る無線基地局の機能構成の一例を示す図である。
【図１６】図１６は、本実施の形態に係るユーザ端末の全体構成の一例を示す図である。
【図１７】図１７は、本実施の形態に係るユーザ端末の機能構成の一例を示す図である。
【図１８】図１８は、本実施の形態に係る無線基地局及びユーザ端末のハードウェア構成の一例を示す図である。
【発明を実施するための形態】
【００１５】
（ＰＵＣＣＨリソースの割り当て）
将来の無線通信システム（例えば、ＬＴＥ  Ｒｅｌ．１５〜、５Ｇ、ＮＲなど）では、ＵＣＩの送信に用いられる上り制御チャネル（例えば、ＰＵＣＣＨ）用の構成（フォーマット、ＰＵＣＣＨフォーマット（ＰＦ）等ともいう）が検討されている。例えば、ＬＴＥ  Ｒｅｌ．１５では、５種類のＰＦ０〜４をサポートすることが検討されている。なお、以下に示すＰＦの名称は例示にすぎず、異なる名称が用いられてもよい。
【００１６】
例えば、ＰＦ０及び１は、２ビット以下（up  to  2  bits）のＵＣＩ（例えば、送達確認情報（ＨＡＲＱ−ＡＣＫ：Hybrid  Automatic  Repeat  reQuest−Acknowledge、ＡＣＫ又はＮＡＣＫ等ともいう）の送信に用いられるＰＦである。ＰＦ０は、１又は２シンボルに割り当て可能であるため、ショートＰＵＣＣＨ又はシーケンスベース（sequence-based）ショートＰＵＣＣＨ等とも呼ばれる。一方、ＰＦ１は、４−１４シンボルに割り当て可能であるため、ロングＰＵＣＣＨ等とも呼ばれる。ＰＦ１では、ＣＳ及びＯＣＣの少なくとも一つを用いた時間領域のブロック拡散により、同一のＰＲＢ内で複数のユーザ端末が符号分割多重（ＣＤＭ）されてもよい。
【００１７】
ＰＦ２−４は、２ビットを超える（more  than  2  bits）ＵＣＩ（例えば、チャネル状態情報（ＣＳＩ：Channel  State  Information）（又は、ＣＳＩとＨＡＲＱ−ＡＣＫ及び／又はスケジューリング要求（ＳＲ）））の送信に用いられるＰＦである。ＰＦ２は、１又は２シンボルに割り当て可能であるため、ショートＰＵＣＣＨ等とも呼ばれる。一方、ＰＦ３、４は、４−１４シンボルに割り当て可能であるため、ロングＰＵＣＣＨ等とも呼ばれる。ＰＦ３では、ＤＦＴ前の（周波数領域）のブロック拡散を用いて複数のユーザ端末がＣＤＭされてもよい。
【００１８】
当該上り制御チャネルの送信に用いられるリソース（例えば、ＰＵＣＣＨリソース）の割り当て（allocation）は、上位レイヤシグナリング及び／又は下り制御情報（ＤＣＩ）を用いて行われる。ここで、上位レイヤシグナリングは、例えば、ＲＲＣ（Radio  Resource  Control）シグナリング、システム情報（例えば、ＲＭＳＩ：Remaining  Minimum  System  Information、ＯＳＩ：Other  system  information、ＭＩＢ：Master  Information  Block、ＳＩＢ：System  Information  Blockの少なくとも一つ）、ブロードキャスト情報（ＰＢＣＨ：Physical  Broadcast  Channel）の少なくとも一つであればよい。
【００１９】
≪ＲＲＣコネクションのセットアップ後≫
ＲＲＣコネクションのセットアップ後においては、一以上のＰＵＣＣＨリソースをそれぞれ含む一以上のセット（ＰＵＣＣＨリソースセット）がユーザ端末に対して上位レイヤシグナリング（例えば、ＲＲＣシグナリング）により通知（設定（configure））される。例えば、ユーザ端末に対して、Ｋ（例えば、１≦Ｋ≦４）個のＰＵＣＣＨリソースセットが無線基地局（例えば、ｇＮＢ：gNodeB）から通知されてもよい。
【００２０】
各ＰＵＣＣＨリソースセットは、Ｍ（例えば、４≦Ｍ≦８）個のＰＵＣＣＨリソースを含んでもよい。Ｋ・Ｍ個のＰＵＣＣＨリソースは、それぞれ、上位レイヤシグナリング（例えば、ＲＲＣシグナリング）によりユーザ端末に設定されてもよい。
【００２１】
ユーザ端末は、所定のルール（例えば、ＵＣＩのペイロードサイズ（ＵＣＩペイロードサイズ））に基づいて、設定されたＫ個のＰＵＣＣＨリソースセットから単一のＰＵＣＣＨリソースセットを決定してもよい。ＵＣＩペイロードサイズは、巡回冗長検査（ＣＲＣ：Cyclic  Redundancy  Code）ビットを含まないＵＣＩのビット数であってもよい。
【００２２】
ユーザ端末は、決定されたＰＵＣＣＨリソースセットに含まれるＭ個のＰＵＣＣＨリソースから、ＤＣＩ及び黙示（implicit）値（黙示的指示（implicit  indication）又は黙示的インデックス、ユーザ端末における導出値、所定値などともいう）の少なくとも一つに基づいて、ＵＣＩの送信に用いるＰＵＣＣＨリソースを決定してもよい。
【００２３】
≪ＲＲＣコネクションのセットアップ前≫
一方、ＲＲＣコネクションセットアップ前においては、ＲＲＣシグナリングを用いて少なくとも一つのＰＵＣＣＨリソースをユーザ端末に設定（通知）することができない。一方、ＲＲＣコネクションのセットアップ前においてもＵＣＩの送信が必要となることが想定される。
【００２４】
例えば、ＲＲＣコネクションのセットアップ前においては、ユーザ端末と無線基地局との間でランダムアクセス手順が実施される。
（１）ユーザ端末が、プリアンブル（ランダムアクセスプリアンブル、ランダムアクセスチャネル（ＰＲＡＣＨ：Physical  Random  Access  Channel）等ともいう）を送信する。
（２）無線基地局は、当該プリアンブルを検出するとランダムアクセスレスポンス（ＲＡＲ：Random  Access  Response、メッセージ２等ともいう）を送信する。
（３）ユーザ端末は、メッセージ２に含まれるタイミングアドバンス（ＴＡ）に基づいて上りの同期を確立し、ＰＵＳＣＨ用いて上位レイヤ（Ｌ２／Ｌ３）の制御メッセージ（メッセージ３）を送信する。当該制御メッセージには、ユーザ端末の識別子（例えば、Ｃ−ＲＮＴＩ（Cell-Radio  Network  Temporary  Identifier））が含まれる。
（４）無線基地局は、上位レイヤの制御メッセージに応じて、ＰＤＳＣＨを用いて、衝突解決用メッセージ（Contention  resolution  message、メッセージ４）を送信する。
（５）ユーザ端末は、ＰＵＣＣＨを用いて、当該メッセージ４のＨＡＲＱ−ＡＣＫを無線基地局に送信する。
【００２５】
以上のように例示されるランダムアクセス手順は、メッセージ４に対するＨＡＲＱ−ＡＣＫを含むＵＣＩの送信が必要であり、当該ＵＣＩの送信に用いられるＰＵＣＣＨリソースをユーザ端末がどのように決定するかが問題となる。
【００２６】
そこで、ＲＲＣコネクションのセットアップ前には、ユーザ端末は、システム情報（例えば、ＲＭＳＩ）内のインデックス値（所定フィールド値、所定値等ともいう）が示す一以上のＰＵＣＣＨリソース（ＰＵＣＣＨリソース候補、ＰＵＣＣＨリソースセットともいう）の中から、ＤＣＩ内のビット値（所定フィールド値、インデックス値、所定値等ともいう）及び／又は黙示値に基づいて、ＵＣＩの送信に用いるＰＵＣＣＨリソースを選択することが検討されている。
【００２７】
当該ＤＣＩのビット値は、例えば、２ビットのビット値であり、４種類のＰＵＣＣＨリソースを選択可能とすることが検討されている。
【００２８】
また、黙示値は、例えば、以下の少なくとも一つのパラメータに基づいて導出されてもよい。
・制御リソース単位（ＣＣＥ：Control  Resource  Element）のインデックス
・制御リソースセット（ＣＯＲＥＳＥＴ：Control  Resource  Set）のインデックス
・サーチスペースのインデックス
・ＰＤＳＣＨに割り当てられる周波数リソース（例えば、ＰＲＧ：Precoding  Resource  Block  Group、ＲＢＧ：Resource  Block  Group又はＰＲＢ：Physical  Resource  Block）のインデックス（例えば、開始インデックス）
・送信電力制御（ＴＰＣ：Transmission  Power  Control）コマンド用のフィールド値
・ＰＤＣＣＨ及び／又はＰＤＳＣＨの送信構成識別子（ＴＣＩ：Transmission  Configuration  Indicator）の状態（ＴＣＩ状態）
・ＵＣＩのビット数
・ＰＤＣＣＨ及び／又はＰＤＳＣＨの復調用参照信号（ＤＭＲＳ：Demodulation  Reference  Signal）の構成情報
・ＨＡＲＱ−ＡＣＫ用のコードブックのタイプ
【００２９】
しかしながら、ＲＲＣコネクションのセットアップ前及び／又はセットアップ後のＰＵＣＣＨリソースの割り当て方法では、ＵＣＩの送信に用いるＰＵＣＣＨリソースを適切にユーザ端末に割り当てることができない恐れがある。
【００３０】
例えば、ＲＲＣコネクションのセットアップ前では、システム情報（例えば、ＲＭＳＩ）内のインデックス値が示す一以上のＰＵＣＣＨリソースの数（ＰＵＣＣＨリソース数）を制御できない結果、ユーザ端末に対して柔軟にＰＵＣＣＨリソースを割り当てることができない恐れがある。
【００３１】
そこで、本発明者らは、システム情報（例えば、ＲＭＳＩ）内の少なくとも２つのインデックス値をそれぞれ異なる数のＰＵＣＣＨリソースに関連付けることで、ユーザ端末が、ＤＣＩ内のビット値及び黙示値の少なくとも一つに基づいて選択可能なＰＵＣＣＨリソース数を制御することを着想した（第１の態様）。
【００３２】
また、ＲＲＣコネクションのセットアップ前においては、システム情報（例えば、ＲＭＳＩ）内の全インデックス値が示す全ＰＵＣＣＨリソースを仕様で定めようとすると、仕様の設計負荷が増加する恐れがある。同様に、ＲＲＣコネクションのセットアップ後において、全ＰＵＣＣＨリソースセット内の全ＰＵＣＣＨリソースを上位レイヤシグナリング（例えば、ＲＲＣシグナリング）によりシグナリングしようとすると、オーバーヘッドが増加する恐れがある。
【００３３】
そこで、本発明者らは、一部のＰＵＣＣＨリソースのパラメータ値を予め定めて（又は予め設定（configure）して）、当該パラメータ値に基づいて他のＰＵＣＣＨリソースのパラメータ値を導出することで、仕様の設計負荷及び／又はシグナリング負荷を軽減することを着想した（第２の態様の第２の決定例）。
【００３４】
以下、本実施の形態について詳細に説明する。なお、以下では、一以上のＰＵＣＣＨリソースを示すインデクス値を含むシステム情報が、ＲＭＳＩであるものとするが、所定単位（例えば、セル単位）でブロードキャストされる情報であればどのような情報であってもよい。
【００３５】
（第１の態様）
第１の態様では、ユーザ端末に割り当てられるＰＵＣＣＨリソース数の制御について説明する。
【００３６】
第１の態様において、ユーザ端末は、ＲＭＳＩ内のインデックス（所定フィールド、ＲＭＳＩインデックス等ともいう）の値が示す一以上のＰＵＣＣＨリソースの中から、ＤＣＩ内のビット値及び黙示値の少なくとも一つに基づいて、ＵＣＩの送信に用いられるＰＵＣＣＨリソースを選択する。
【００３７】
ＤＣＩのビット値は、所定フィールド値、ＰＵＣＣＨリソース識別子（PUCCH  resource  indicator）用フィールド、ＡＣＫ／ＮＡＣＫリソース識別子（ＡＲＩ：ACK/NACK  Resource  Indicator）、ＡＣＫ／ＮＡＣＫリソースオフセット（ＡＲＯ：ACK/NACK  Resource  Offset）又はＴＰＣコマンド用フィールド等とも呼ばれてもよい。
【００３８】
ＲＭＳＩインデックスの値（例えば、４ビット）は、ＤＣＩ内のビット値だけでＵＣＩの送信用のリソースを決定可能な数のＰＵＣＣＨリソースを示す一以上のインデックス値と、上記ビット値及び黙示値の組み合わせによって前記送信用のリソースを決定可能な数のリソースを示す一以上のインデックス値との中からセット（決定）されてもよい。
【００３９】
例えば、ＲＭＳＩインデックスにセル（コンポーネントキャリア（ＣＣ）、キャリア）毎に異なる値をセットすることにより、ユーザ端末に割り当てられるＰＵＣＣＨリソース数をセル毎に制御でき、ユーザ端末におけるＰＵＣＣＨリソースの選択候補の数を制御できる。
【００４０】
＜ＰＵＣＣＨリソース数の第１の制御例＞
図１は、第１の態様に係るＰＵＣＣＨリソース数の第１の制御例を示す図である。図１では、ＲＭＳＩ内のインデックス（ＲＭＳＩインデックス）が４ビットであり、ＤＣＩ内の第２フィールドが２ビットである場合と一例と説明するが、当該第１フィールド及び第２フィールドのビット数はこれに限られない。
【００４１】
図１に示すように、ＲＭＳＩ内のインデックス（以下、ＲＭＳＩインデックスともいう）の各値は、一以上のＰＵＣＣＨリソースを示してもよい。例えば、図１は、ＲＭＳＩインデックス「０」〜「７」は、それぞれ、８つのＰＵＣＣＨリソース（＃ａｉ〜＃ｈｉ（ｉ＝０〜７））を示す。一方、ＲＭＳＩインデックス「８」〜「１５」は、それぞれ、４つのＰＵＣＣＨリソース（＃ａｉ〜＃ｄｉ（ｉ＝８〜１５））を示す。
【００４２】
ユーザ端末は、ＲＭＳＩインデックス「０」〜「７」のいずれかを受信する場合、８つのＰＵＣＣＨリソースの中から、ＤＣＩ内のビット値と黙示値とを用いて、ＵＣＩの送信に用いるＰＵＣＣＨリソースを決定してもよい。
【００４３】
一方、ユーザ端末は、ＲＭＳＩインデックス「８」〜「１５」のいずれかを受信する場合、４つのＰＵＣＣＨリソースの中から、ＤＣＩ内のビット値を用いて、ＵＣＩの送信に用いるＰＵＣＣＨリソースを決定してもよい。
【００４４】
図２は、第１の態様に係るＤＣＩ内のビット値及び黙示値に基づくＰＵＣＣＨリソースの決定の一例を示す図である。図２では、図１のＲＭＳＩインデックス「０」〜「７」が受信される場合のＰＵＣＣＨリソースの決定が一例として示される。なお、図２では、各ＲＭＳＩインデックスが示すＰＵＣＣＨリソース数は、８であるが、これに限られず、ＤＣＩ内のビット値及び黙示値の組み合わせを用いて識別可能なＰＵＣＣＨリソース数であればよい。
【００４５】
図２に示すように、ＲＭＳＩインデックス＃ｉ（ｉ＝０〜７）が示すＰＵＣＣＨリソース＃ａｉ〜＃ｈｉがそれぞれ、ＤＣＩ内のビット値に関連付けられる。例えば、図２では、ＰＵＣＣＨリソース＃ａｉ〜＃ｄｉがそれぞれ、ＤＣＩ内のビット値「００」、「０１」、「１０」及び「１１」に関連付けられる。同様に、ＰＵＣＣＨリソース＃ｅｉ〜＃ｈｉがそれぞれ、ＤＣＩ内のビット値「００」、「０１」、「１０」及び「１１」に関連付けられる。
【００４６】
ユーザ端末は、同一のＤＣＩ内のビット値が示す複数のＰＵＣＣＨリソースの一つを、黙示値によって決定する。例えば、図２では、ユーザ端末は、ＤＣＩ内のビット値「００」が示す２ＰＵＣＣＨリソース＃ａｉ及び＃ｅｉのうちで、１ビットの黙示値が「０」であればＰＵＣＣＨリソース＃ａｉを選択し、黙示値が「１」であればＰＵＣＣＨリソース＃ｅｉを選択する。
【００４７】
図３は、第１の態様に係るＤＣＩ内のビット値に基づくＰＵＣＣＨリソースの決定の一例を示す図である。図３では、図１のＲＭＳＩインデックス「８」〜「１５」が受信される場合のＰＵＣＣＨリソースの決定が一例として示される。なお、図３では、各ＲＭＳＩインデックスが示すＰＵＣＣＨリソース数は、４であるが、これに限られず、ＤＣＩ内のビット値を用いて識別可能なＰＵＣＣＨリソース数であればよい。
【００４８】
図３に示すように、ＲＭＳＩインデックス＃ｉ（ｉ＝８〜１５）が示すＰＵＣＣＨリソース＃ａｉ〜＃ｄｉがそれぞれ、ＤＣＩ内のビット値に関連付けられる。例えば、図３では、ＰＵＣＣＨリソース＃ａｉ〜＃ｄｉがそれぞれ、ＤＣＩ内のビット値「００」、「０１」、「１０」及び「１１」に関連付けられる。ユーザ端末は、ＤＣＩ内のビット値が示すＰＵＣＣＨリソースを決定し、当該ＰＵＣＣＨリソースを用いてＵＣＩを送信してもよい。
【００４９】
第１の制御例では、ＲＭＳＩインデックス＃ｉは、８ＰＵＣＣＨリソース＃ａｉ〜＃ｈｉを示す値（ｉ＝０〜７）及び４ＰＵＣＣＨリソース＃ａｉ〜＃ｄｉを示す値（ｉ＝８〜１５）を含む。したがって、ユーザ端末に割り当てるＰＵＣＣＨリソース数を４又は８の２種類で制御でき、ユーザ端末が選択可能なＰＵＣＣＨリソース数を制御できる。また、ＲＭＳＩインデックス＃ｉはセル毎に決定されるので、セル毎にユーザ端末に割り当てるＰＵＣＣＨリソース数を制御できる。
【００５０】
＜ＰＵＣＣＨリソース数の第２の制御例＞
図４は、第１の態様に係るＰＵＣＣＨリソースの候補数の第２の制御例を示す図である。第２の制御例では、第１の制御例との相違点を中心に説明する。
【００５１】
図４に示すように、ＲＭＳＩ内のインデックス（以下、ＲＭＳＩインデックスともいう）の各値は、一以上のＰＵＣＣＨリソースを示してもよい。例えば、図４は、ＲＭＳＩインデックス「４」〜「7」は、それぞれ、６つのＰＵＣＣＨリソース（＃ａｉ〜＃ｄｉ、＃ｇｉ〜ｈｉ（ｉ＝０〜７））を示す点で、図１と異なる。
【００５２】
ユーザ端末は、ＲＭＳＩインデックス「４」〜「７」のいずれかを受信する場合、６つのＰＵＣＣＨリソースの中から、ＤＣＩ内のビット値と黙示値とを用いて、ＵＣＩの送信に用いるＰＵＣＣＨリソースを決定してもよい。なお、ＲＭＳＩインデックス「０」〜「３」、「８」〜「１５」をいずれかを受信する場合の動作は、第１の制御例と同様である。
【００５３】
図５は、第１の態様に係るＤＣＩ内のビット値及び黙示値に基づくＰＵＣＣＨリソースの決定の他の例を示す図である。図５では、図４のＲＭＳＩインデックス「４」〜「７」が受信される場合のＰＵＣＣＨリソースの決定が一例として示される。なお、図５では、各ＲＭＳＩインデックスが示すＰＵＣＣＨリソース数は、８であるが、これに限られず、ＤＣＩ内のビット値及び黙示値の組み合わせを用いて識別可能なＰＵＣＣＨリソース数であればよい。
【００５４】
図５に示すように、ＲＭＳＩインデックス＃ｉ（ｉ＝４〜７）が示すＰＵＣＣＨリソース＃ａｉ〜＃ｄｉ、＃ｇｉ〜＃ｈｉがそれぞれ、ＤＣＩ内のビット値に関連付けられる。例えば、図５では、ＰＵＣＣＨリソース＃ａｉ〜＃ｄｉがそれぞれ、ＤＣＩ内のビット値「００」、「０１」、「１０」及び「１１」に関連付けられる。同様に、ＰＵＣＣＨリソース＃ｇｉ〜＃ｈｉがそれぞれ、ＤＣＩ内のビット値「１０」及び「１１」に関連付けられる。
【００５５】
ユーザ端末は、単一のＰＵＣＣＨリソースを示すＤＣＩ内のビット値（図２では、「００」又は「０１」）を受信する場合、当該単一のＰＵＣＣＨリソースを選択する。
【００５６】
一方、ユーザ端末は、複数のＰＵＣＣＨリソースを示すＤＣＩ内のビット値（図２では、「１０」又は「１１」）を受信する場合、当該複数のＰＵＣＣＨリソースの一つを黙示値に基づいて選択する。例えば、ユーザ端末は、ＤＣＩ内のビット値「１０」が示す２ＰＵＣＣＨリソース＃ｃｉ及び＃ｇｉのうちで、１ビットの黙示値が「０」であればＰＵＣＣＨリソース＃ｃｉを選択し、黙示値が「１」であればＰＵＣＣＨリソース＃ｇｉを選択する。
【００５７】
なお、図５では、ＤＣＩ内のビット値「１０」及び「１１」がそれぞれ複数のＰＵＣＣＨリソースを示すが、これに限られない。例えば、ＤＣＩ内のビット値「１０」及び「１１」がそれぞれ単一のＰＵＣＣＨリソースを示し、ＤＣＩ内のビット値「００」及び「０１」がそれぞれ複数のＰＵＣＣＨリソースを示し、当該複数のＰＵＣＣＨリソースの一つが黙示値によって選択されてもよい。
【００５８】
第２の制御例では、ＲＭＳＩインデックス＃ｉは、８ＰＵＣＣＨリソース＃ａｉ〜＃ｈｉを示す値（ｉ＝０〜３）、６ＰＵＣＣＨリソース＃ａ＃ａｉ〜＃ｄｉ、＃ｇｉ〜＃ｈｉを示す値（i＝４〜７）及び４ＰＵＣＣＨリソース＃ａｉ〜＃ｄｉを示す値（ｉ＝８〜１５）を含む。したがって、ユーザ端末に割り当てるＰＵＣＣＨリソース数を４、６又は８の３種類から選択でき、各セルでユーザ端末が選択可能なＰＵＣＣＨリソース数を、第１の制御例と比較してより柔軟に制御できる。
【００５９】
＜ＲＭＳＩインデックス値の制御＞
第１の態様において、無線基地局は、セル（ＣＣ又はキャリア）内におけるユーザ端末の数（当該セルに接続するユーザ端末の数、接続数、ＵＥ接続数等ともいう）に基づいて、ＲＭＳＩインデックス値を決定してもよい。
【００６０】
例えば、図１では、ユーザ端末の接続数が所定の閾値より多い（又は以上である）セルでは、無線基地局は、より多い数のＰＵＣＣＨリソースを示すＲＭＳＩインデックス（「０」〜「７」）を含むＲＭＳＩを送信（ブロードキャスト）してもよい。
【００６１】
一方、図１では、ユーザ端末の接続数が所定の閾値以下である（又はより少ない）セルでは、無線基地局は、より少ない数のＰＵＣＣＨリソースを示すＲＭＳＩインデックス（「８」〜「１５」）を含むＲＭＳＩを送信（ブロードキャスト）してもよい。
【００６２】
同様に、ＰＵＣＣＨリソースの候補数に３以上の段階（例えば、図４では、４、６又は８の３段階）を設ける場合、ユーザ端末の接続数に基づいていずれかの段階の候補数を決定し、決定された候補数のＰＵＣＣＨリソースを示すＲＭＳＩインデックスを含むＲＭＳＩを送信（ブロードキャスト）してもよい。
【００６３】
このように、無線基地局が、セル内のユーザ端末の接続数に基づいてＲＭＳＩインデックス値を決定することにより、ユーザ端末個別に選択可能なＰＵＣＣＨリソースの候補数を制御可能となる。
【００６４】
また、無線基地局が、より少ない数のＰＵＣＣＨリソースを示すＲＭＳＩインデックス値を指定することにより、黙示値を用いずにＤＣＩ内のビット値でユーザ端末がＵＣＩの送信に用いるＰＵＣＣＨリソースを指定可能となる。これにより、黙示値の導出に用いられるパラメータの設定値に制約が生じるのを防止できる。
【００６５】
例えば、ＣＣＥインデックスに基づいて黙示値を導出する場合は、ＰＤＣＣＨに対するＣＣＥの割り当てに制約が生じるのを防止できる。また、ＰＤＳＣＨに割り当てられる周波数リソース（例えば、ＰＲＧ又はＰＲＢ）のインデックスに基づいて黙示値を導出する場合は、ＰＤＳＣＨに対する周波数リソースの割り当てに制約が生じるのを防止できる。また、ＴＰＣコマンド用のフィールド値に基づいて黙示値を導出する場合は、ＴＰＣに制約が生じるのを防止できる。
【００６６】
（第２の態様）
第２の態様では、各ＰＵＣＣＨリソースの値の決定例について説明する。各ＰＵＣＣＨリソースは、以下の少なくとも一つのパラメータの値を含んでもよい。なお、各パラメータには、ＰＵＣＣＨフォーマット毎にとり得る値の範囲が定められてもよい。
【００６７】
・スロット内でＰＵＣＣＨに割り当てられるシンボル数（ＰＵＣＣＨシンボル数）
・ＰＵＣＣＨの割り当てが開始されるシンボルのインデックス（開始シンボルインデックス又は開始シンボル番号）
・初期巡回シフト（ＣＳ：Cyclic  Shift）の間隔（初期ＣＳ間隔）
・ＰＵＣＣＨに周波数ホッピングを有効化するか否かを示す情報（周波数ホッピング（ＦＨ）情報）
・ＰＵＣＣＨに割り当てられる周波数リソース（例えば、物理リソースブロック（ＰＲＢ：Physical  Resource  Block））を示す情報（周波数リソース情報、当該周波数リソースの開始インデックス、ＰＲＢ位置等ともいう）
・初期巡回シフト（ＣＳ：Cyclic  Shift）のインデックス（初期ＣＳインデックス、初期ＣＳ等ともいう）
・時間領域（time-domain）における直交拡散符号（例えば、ＯＣＣ：Orthogonal  Cover  Code）のインデックス（ＯＣＣインデックス）
・離散フーリエ変換（ＤＦＴ）前のブロック拡散に用いられるＯＣＣの長さ（ＯＣＣ長、拡散率等ともいう）
・ＤＦＴ後のブロック拡散（block-wise  spreading）に用いられるＯＣＣのインデックス
・ＰＵＣＣＨに割り当てられるＰＲＢの数
・周波数ホッピングが有効な場合の第２ホップの周波数リソースのインデックス（周波数リソースインデックス）
【００６８】
第２の態様において、上記ＲＭＳＩインデックス＃ｉ（例えば、ＲＭＳＩインデックスが４ビットの場合、０≦ｉ≦１５）が示す一以上のＰＵＣＣＨリソースのそれぞれに含まれるパラメータ値は予め仕様で定められていてもよいし（第１の決定例）。或いは、ＲＭＳＩインデックス＃ｉが示す一部のＰＵＣＣＨリソースの少なくとも一部のパラメータ値が予め仕様で定められ、残りのＰＵＣＣＨリソースのパラメータ値が当該一部のＰＵＣＣＨリソースのパラメータ値に基づいて導出されてもよい（第２の決定例）。
【００６９】
ここで、上記ＲＭＳＩインデックス＃ｉが示す一以上のＰＵＣＣＨリソースは、例えば、図１では、０≦ｉ≦７であればＰＵＣＣＨリソース＃ａｉ〜＃ｈｉ、８≦ｉ≦１５であればＰＵＣＣＨリソース＃ａｉ〜ｄｉである。また、図４では、０≦ｉ≦３であればＰＵＣＣＨリソース＃ａｉ〜＃ｈｉであり、４≦ｉ≦７であればＰＵＣＣＨリソース＃ａｉ〜＃ｄｉ、＃ｇｉ及びｈｉであり、≦ｉ≦１５であればＰＵＣＣＨリソース＃ａｉ〜ｄｉである。
【００７０】
＜パラメータ値の第１の決定例＞
第１の決定例では、上記ＲＭＳＩインデックス＃ｉ（例えば、ＲＭＳＩインデックスが４ビットの場合、０≦ｉ≦１５）が示す全てのＰＵＣＣＨリソースに含まれるパラメータ値は予め仕様で定められる。
【００７１】
図６は、第２の態様に係るＰＵＣＣＨリソースのパラメータ値の決定例を示す図である。図６では、各ＰＵＣＣＨリソースが、スロット内のシンボル数、開始シンボルインデックス、初期ＣＳ間隔、周波数ホッピングを有効化するか否かを示す情報、ＰＵＣＣＨのＰＲＢ位置、初期ＣＳインデックス、ＯＣＣインデックスを含むものとするが、各ＰＵＣＣＨリソースに含まれるパラメータの種類はこれに限られない。
【００７２】
なお、不図示の他のＰＵＣＣＨリソースは、ＰＵＣＣＨリソース＃ａ０と同一種類及び／又は異なる種類のパラメータを含んでもよい。また、各ＰＵＣＣＨリソースに含まれるパラメータの数は、同一であってもよいし、異なってもよい。また、各パラメータの値は図６に示すものに限られない。
【００７３】
また、図６では、図１に示すように、ＲＭＳＩインデックス値ｉ（０≦ｉ≦７）が８つのＰＵＣＣＨリソース＃ａｉ〜＃ｈｉを示し、ＲＭＳＩインデックス値ｉ（８≦ｉ≦１５）が４つのＰＵＣＣＨリソース＃ａｉ〜＃ｄｉを示す場合を想定するが、これに限られない。
【００７４】
例えば、図６では、ＲＭＳＩインデックス値＃ｉが示す全ＰＵＣＣＨリソース（ここでは、０≦ｉ≦７なら８ＰＵＣＣＨリソース＃ａ〜＃ｈ、８≦ｉ≦１５なら４ＰＵＣＣＨリソース＃ａ〜＃ｄ）に含まれるパラメータ値を定めるテーブルが示される。
【００７５】
図６では、同一及び異なるＲＭＳＩインデックス値が示す全ＰＵＣＣＨリソース内のパラメータ値が単一のテーブルで規定されるが、これに限られない。例えば、ＲＭＳＩインデックス値毎のテーブル（例えば、ＲＭＳＩインデックス値ｉ＝０〜１５の１６個のテーブル）が設けられてもよい。
【００７６】
或いは、同一種類のパラメータを含むＰＵＣＣＨリソース毎のテーブル（例えば、ＰＵＣＣＨリソース＃ａｉ〜＃ｈｉの８テーブル）が規定されてもよい。なお、ここでは、ＰＵＣＣＨリソース＃ａｉ〜＃ｈｉは、それぞれ、ＲＭＳＩインデックス値ｉが異なっても同一種類のパラメータを含むものとするが、同一種類のパラメータを含まなくともよい。
【００７７】
第１の決定例では、上記ＲＭＳＩインデックス＃ｉ（例えば、ＲＭＳＩインデックスが４ビットの場合、０≦ｉ≦１５）が示す全てのＰＵＣＣＨリソースに含まれるパラメータ値は予め仕様で定められるので、ユーザ端末自身でパラメータ値を決定する必要がなく、ユーザ端末における処理負荷を軽減できる。
【００７８】
＜パラメータ値の第２の決定例＞
第２の決定例では、ＲＭＳＩインデックス＃ｉ（例えば、ＲＭＳＩインデックスが４ビットの場合、０≦ｉ≦１５）が示す一部のＰＵＣＣＨリソースの少なくとも一部のパラメータ値が予め仕様で定められ、残りのＰＵＣＣＨリソースのパラメータ値が当該一部のＰＵＣＣＨリソースのパラメータ値に基づいて導出されてもよい。
【００７９】
具体的には、第２の決定例では、同じＲＭＳＩインデックス値ｉによって示される複数のＰＵＣＣＨリソースのうち、特定のＰＵＣＣＨリソース（例えば、図６のＰＵＣＣＨリソース＃ａｉ）内の一以上のパラメータ値が仕様で定められ、当該パラメータ値に基づいて他のＰＵＣＣＨリソース（例えば、図６のＰＵＣＣＨリソース＃ｂｉ〜＃ｈｉ）内の一以上のパラメータ値が導出されてもよい。
【００８０】
以下では、（１）ＰＵＣＣＨシンボル数、（２）開始シンボルインデックス、（３）周波数ホッピング（ＦＨ）情報、（４）周波数リソース情報、（５）初期ＣＳ、（６）ＯＣＣインデックス、（７）初期ＣＳ間隔の導出例について詳細に説明する。
【００８１】
（１）ＰＵＣＣＨシンボル数の導出例
ＰＵＣＣＨシンボル数は、同じＲＭＳＩインデックス＃ｉによって示される複数のＰＵＣＣＨリソース（例えば、図１のＰＵＣＣＨリソース＃ａｉ〜＃ｈｉ）の間で共通であってもよい（セル固有であってもよい）。ＲＭＳＩインデックス値はセル固有であり、ＰＵＣＣＨのシンボル数は、セルの範囲（range）又はカバレッジに依存するため、セル内のユーザ端末間で共通であってよいためである。
【００８２】
例えば、ＲＭＳＩインデックス＃０のＰＵＣＣＨリソース＃ａ０のＰＵＣＣＨシンボル数「２」が仕様で定められている場合（図６参照）、ユーザ端末は、当該ＰＵＣＣＨリソース＃ａ０のＰＵＣＣＨシンボル数「２」に基づいて、他のＰＵＣＣＨリソース＃ｂ０〜＃ｈ０のＰＵＣＣＨシンボル数「２」を導出してもよい。
【００８３】
（２）開始シンボルインデックスの導出例
ＰＵＣＣＨの開始シンボルインデックスは、同じＲＭＳＩインデックス＃ｉによって示される複数のＰＵＣＣＨリソース（例えば、図１のＰＵＣＣＨリソース＃ａｉ〜＃ｈｉ）の間で共通であってもよい（セル固有であってもよい）し、又は、上記ＰＵＣＣＨシンボル数に基づいて決定されてもよい。
【００８４】
例えば、ＲＭＳＩインデックス＃０のＰＵＣＣＨリソース＃ａ０の開始シンボルインデックス「１２」が仕様で定められている場合（図６参照）、ユーザ端末は、当該ＰＵＣＣＨリソース＃ａ０の開始シンボルインデックス「１２」に基づいて、他のＰＵＣＣＨリソース＃ｂ０〜＃ｈ０の開始シンボルインデックス「１２」を導出してもよい。
【００８５】
或いは、ＲＭＳＩインデックス＃０のＰＵＣＣＨリソース＃ｂ０〜＃ｈ０それぞれに導出されたＰＵＣＣＨシンボル数に基づいて、ＰＵＣＣＨリソース＃ｂ０〜＃ｈ０それぞれの開始シンボルインデックスが導出されてもよい。例えば、ＰＵＣＣＨシンボル数が「２」であれば、開始シンボルインデックス「１２」が導出され、ＰＵＣＣＨシンボル数が「４」であれば、開始シンボルインデックス「１０」が導出されてもよい。このように、開始シンボルインデックスは、スロット内のシンボル数−ＰＵＣＣＨシンボル数で導出されてもよい。
【００８６】
（３）周波数ホッピング（ＦＨ）情報の導出例
ＰＵＣＣＨの周波数ホッピングを有効化するか否かを示すＦＨ情報は、同じＲＭＳＩインデックス＃ｉによって示される複数のＰＵＣＣＨリソース（例えば、図１のＰＵＣＣＨリソース＃ａｉ〜＃ｈｉ）の間で共通であってもよい（セル固有であってもよい）。
【００８７】
例えば、ＲＭＳＩインデックス＃０のＰＵＣＣＨリソース＃ａ０のＦＨ情報「有効化（enable）」が仕様で定められている場合（図６参照）、ユーザ端末は、当該ＰＵＣＣＨリソース＃ａ０のＦＨ情報に基づいて、他のＰＵＣＣＨリソース＃ｂ０〜＃ｈ０のＦＨ情報「有効化」を導出してもよい。
【００８８】
一方、ＲＭＳＩインデックス＃１のＰＵＣＣＨリソース＃ａ１のＦＨ情報「無効化（disable）」が仕様で定められているので（図６参照）、ユーザ端末は、当該ＰＵＣＣＨリソース＃ａ１のＦＨ情報に基づいて、他のＰＵＣＣＨリソース＃ｂ１〜＃ｈ１のＦＨ情報「無効化」を導出してもよい。
【００８９】
ＰＵＣＣＨの周波数ホッピングが有効化される場合、周波数ダイバーシチ効果が得られるので、カバレッジが改善する。一方、周波数ホッピングが無効化される場合、ＰＵＣＣＨに利用される周波数リソースを所定領域内に固めやすくなるため、ＰＤＣＣＨ、ＰＤＳＣＨ及びＰＵＳＣＨの少なくとも一つ等に割り当て可能な周波数リソースを増加させることができ、周波数利用の柔軟性を向上できる。
【００９０】
特に、ＲＲＣコネクションのセットアップ前のＰＵＣＣＨに割り当てられる周波数リソース（例えば、ＰＲＢ）は、仕様を変更しない限り変更できない（固定的である）ことが想定される。このため、周波数ホッピングを無効化することにより、周波数利用効率を向上できる。
【００９１】
また、ＰＵＣＣＨの周波数ホッピングは、周波数帯によって、必須（Mandatory）機能であるか、オプション（option）機能であるかが異なる可能性がある。例えば、ユーザ端末の使用周波数帯が所定の閾値（例えば、６ＧＨｚ）以下（又はより低い）である場合、ＰＵＣＣＨの周波数ホッピングが必須機能であり、当該使用周波数帯が所定の閾値（例えば、６ＧＨ）より高い（又は以上）である場合、当該周波数ホッピングがオプション機能となることが想定される。
【００９２】
ＰＵＣＣＨの周波数ホッピングがオプション機能となる場合、ＲＲＣコネクションのセットアップ前においては、ユーザ端末の能力情報を無線基地局が取得できないため、当該無線基地局は、どのユーザ端末が当該周波数ホッピングをサポートしているかを認識できない。
【００９３】
このため、セルの使用周波数帯が当該所定の閾値（例えば、６ＧＨｚ）以下（又はより低い）である場合（上記周波数ホッピングが必須機能である場合）、予め仕様で定められるＰＵＣＣＨリソース＃ａｉ内のＦＨ情報が「有効化」であるＲＭＳＩインデックス＃ｉ（例えば、図６では、ｉが偶数値）が当該セルで送信（ブロードキャスト）されてもよい。この場合、ユーザ端末は、同一のＲＭＳＩインデックス＃ｉの他のＰＵＣＣＨリソースのＦＨ情報を、ＰＵＣＣＨリソース＃ａｉと同じ「有効化」と導出してもよい。
【００９４】
一方、セルの使用周波数帯が当該所定の閾値（例えば、６ＧＨｚ）より高い（又は以上）である場合（上記周波数ホッピングがオプション機能である場合）、予め仕様で定められるＰＵＣＣＨリソース＃ａｉ内のＦＨ情報が「無効化」であるＲＭＳＩインデックス＃ｉ（例えば、図６では、ｉが奇数値）が当該セルで送信（ブロードキャスト）されてもよい。この場合、ユーザ端末は、同一のＲＭＳＩインデックス＃ｉの他のＰＵＣＣＨリソースのＦＨ情報を、ＰＵＣＣＨリソース＃ａｉと同じ「無効化」と導出してもよい。
【００９５】
このように、ＲＭＳＩインデックス値が偶数値又は奇数値と、ＰＵＣＣＨリソース内のＦＨ情報が「有効化」又は「無効化」とが関連付けて定められていてもよい（図６参照）。なお、図６では、ＲＭＳＩインデックス値の偶数値がＦＨ情報「有効化」を示し、ＲＭＳＩインデックス値の奇数値がＦＨ情報「無効化」を示すが、ＲＭＳＩインデックス値の奇数値がＦＨ情報「有効化」を示し、ＲＭＳＩインデックス値の偶数値がＦＨ情報「無効化」を示してもよい。
【００９６】
（４）周波数リソース情報の導出例
ＰＵＣＣＨの周波数リソース（例えば、ＰＲＢ位置又は開始ＰＲＢインデックス）は、ＲＭＳＩインデックス＃ｉ（例えば、０≦ｉ≦１５）によって示される複数のＰＵＣＣＨリソース（例えば、ＰＵＣＣＨリソース＃ａｉ〜＃ｈｉ）の間で所定のルールに従って定められてもよい。
【００９７】
図７Ａ及び７Ｂは、第２の態様に係るＰＵＣＣＨ用のリソース領域の一例を示す図である。図７Ａでは周波数ホッピングが有効化される場合が示され、図７Ｂでは周波数ホッピングが無効化される場合が示される。
【００９８】
例えば、図７Ａ及び７Ｂでは、ＲＭＳＩインデックス＃ｉのＰＵＣＣＨリソース＃ａｉ〜＃ｈｉの周波数リソースが割り当てられる１スロット内のリソース領域＃０〜＃３が示される。図７Ａに示すように、複数のリソース領域の少なくとも一部（例えば、図７Ａでは、２リソース領域＃０及び＃１、又は、２リソース領域＃２及び＃３）の周波数リソースは同一であってもよい。一方、図７Ｂに示すように、複数のリソース領域の周波数リソースが異なってもよい。
【００９９】
図７Ｂの場合、リソース領域＃０〜＃３のそれぞれの周波数方向の開始位置（開始ＰＲＢインデックス）は、所定の周波数領域（例えば、帯域幅部分（ＢＷＰ：Bandwidth  Part）、初期アクセス用の上りＢＷＰなど）の開始位置から距離が異なる。このため、各リソース領域（図７Ｂでは、＃０〜＃３）は、当該所定の周波数領域の開始位置からの距離で識別されてもよい。なお、ＢＷＰとは、ユーザ端末に設定されるキャリア（セル、ＣＣ）内の部分的な帯域（部分帯域等ともいう）である。
【０１００】
図８は、第２の態様に係る周波数リソース情報の導出の一例を示す図である。図８では、一例として、ＲＭＳＩインデックス＃ｉ（例えば、０≦ｉ≦１５）のＰＵＣＣＨリソース＃ａｉ〜＃ｈｉの周波数リソースがリソース領域＃Ｘ（例えば、図７では、＃０〜＃３）内に割り当てられる例を説明する。すなわち、Ｘは、各リソース領域（各リソース領域のＢＷＰの開始位置からの距離又は各リソース領域の開始ＰＲＢ）のインデックスである。
【０１０１】
例えば、図８に示すように、リソース領域＃０の開始ＰＲＢインデックスがＲＭＳＩインデックス＃０のＰＵＣＣＨリソース＃ａ０の開始ＰＲＢインデックスとして仕様で定められている場合、ユーザ端末は、所定のルールに従って、他のＰＵＣＣＨリソース＃ｂ０〜＃ｈ０の開始ＰＲＢインデックスを導出してもよい。例えば、図８では、リソース領域の数（ここでは、４）の剰余に基づいて、他のＰＵＣＣＨリソース＃ｂ０〜＃ｈ０の開始ＰＲＢインデックスが導出されてもよい。
【０１０２】
なお、ＰＵＣＣＨリソース＃ａｉ（１≦ｉ≦１５）の開始ＰＲＢインデックスは、予め仕様で定められてもよいし、ＰＵＣＣＨリソース＃ａ０に基づいて導出されてもよいし、又は、ＤＣＩ内の所定フィールド値で指定されてもよい。ＰＵＣＣＨリソース＃ｂｉ〜ｈｉ（１≦ｉ≦１５）の開始ＰＲＢインデックスは、ＰＵＣＣＨリソース＃ａｉ（１≦ｉ≦１５）の開始ＰＲＢインデックスに基づいて導出されてもよいし、ＰＵＣＣＨリソース＃ａ０に基づいて導出されてもよいし、又は、ＤＣＩ内の所定フィールド値で指定されてもよい。
【０１０３】
（５）初期ＣＳインデックスの導出例
ＰＵＣＣＨの初期ＣＳ（初期ＣＳのインデックス（初期ＣＳインデックス））は、ＲＭＳＩインデックス＃ｉ（例えば、０≦ｉ≦１５）によって示される複数のＰＵＣＣＨリソース（例えば、ＰＵＣＣＨリソース＃ａｉ〜＃ｈｉ）の間で所定のルールに従って定められてもよい。
【０１０４】
図９Ａ及び９Ｂは、第２の態様に係る初期ＣＳインデックスの導出の一例を示す図である。図９Ａでは、シンボル数が２より大きいＰＦ１における導出例が示され、図９Ｂでは、シンボル数が２以下であるＰＦ０における導出例が示される。
【０１０５】
図９Ａ及び９Ｂに示すように、ＲＭＳＩインデックス＃ｉ（例えば、０≦ｉ≦１５）のＰＵＣＣＨリソース＃ａｉ〜＃ｈｉの初期ＣＳインデックスは、リソース領域＃Ｘ（例えば、図７では、＃０〜＃３）に基づいて決定されてもよい。図９Ａ及び９Ｂに示すように、リソース領域が異なれば、ＰＵＣＣＨリソース＃ａｉ〜＃ｈｉ間で同じＣＳインデックスが割り当てられてもよい。
【０１０６】
また、図９Ａ及び９Ｂに示すように、ＰＦ毎に利用可能な（割り当てられる）初期ＣＳインデックスの種類及び／又は数は異なってもよい。例えば、図９Ａに示すように、ＰＦ１では、１ビットのＵＣＩの送信に一つのＣＳを使用するので、４つの初期ＣＳインデックス（ここでは、０、３、６、９）を利用可能である。一方、図９Ｂに示すように、ＰＦ０では、１ビットのＵＣＩの送信に二つのＣＳ（初期ＣＳインデックスと当該初期ＣＳインデックスから１８０度離れたＣＳインデックス）を使用するので、３つの初期ＣＳインデックス（ここでは、０、４、８）を利用可能である。
【０１０７】
例えば、図９Ａ及び９Ｂに示すように、初期ＣＳインデックス＃０がＲＭＳＩインデックス＃ｉのＰＵＣＣＨリソース＃ａｉの初期ＣＳインデックスとして仕様で定められている場合、ユーザ端末は、リソース領域＃Ｘに基づいて、他のＰＵＣＣＨリソース＃ｂｉ〜＃ｈｉの初期ＣＳインデックスを導出してもよい。例えば、図８では、リソース領域の数（ここでは、４）のＰＵＣＣＨリソース毎に異なるＣＳインデックスが割り当てられる。
【０１０８】
なお、ＰＵＣＣＨリソース＃ａｉ（１≦ｉ≦１５）の初期ＣＳインデックスは、予め仕様で定められてもよいし、仕様に定められたＰＵＣＣＨリソース＃ａ０の初期ＣＳインデックスに基づいて導出されてもよい。
【０１０９】
図９Ａ及び９Ｂでは、同一のＲＭＳＩインデックス#ｉを有するＰＵＣＣＨリソース＃ａｉ〜＃ｈｉの間で、同一のリソース領域＃Ｘに割り当てられるＰＵＣＣＨの初期ＣＳインデックスを異ならせることができるので、同時にＰＵＣＣＨを割り当て可能なユーザ端末数（ユーザ端末の多重数）を向上できる。
【０１１０】
（６）ＯＣＣインデックスの導出例
ＰＵＣＣＨのＯＣＣインデックスは、ＲＭＳＩインデックス＃ｉ（例えば、０≦ｉ≦１５）によって示される複数のＰＵＣＣＨリソース（例えば、ＰＵＣＣＨリソース＃ａｉ〜＃ｈｉ）の間で所定のルールに従って定められてもよい。
【０１１１】
図１０は、第２の態様に係るＯＣＣインデックスの導出の一例を示す図である。図１０では、ＯＣＣを用いたブロック拡散を適用するＰＦ１における導出例が示される。
【０１１２】
図１０に示すように、ＲＭＳＩインデックス＃ｉ（例えば、０≦ｉ≦１５）のＰＵＣＣＨリソース＃ａｉ〜＃ｈｉのＯＣＣインデックスは、リソース領域＃Ｘ（例えば、図７では、＃０〜＃３）及び／又は初期ＣＳインデックスに基づいて決定されてもよい。図１０に示すように、リソース領域又は初期ＣＳインデックスが異なれば、ＰＵＣＣＨリソース＃ａｉ〜＃ｈｉ間で同じＯＣＣインデックスが割り当てられてもよい。
【０１１３】
なお、ＰＵＣＣＨリソース＃ａｉ（１≦ｉ≦１５）のＯＣＣインデックスは、予め仕様で定められてもよいし、仕様に定められたＰＵＣＣＨリソース＃ａ０のＯＣＣインデックスに基づいて導出されてもよい。
【０１１４】
図１０では、同一のリソース領域＃Ｘ及び同一の初期ＣＳインデックスに割り当てられるＰＵＣＣＨのＯＣＣインデックスを異ならせることができるので、同時にＰＵＣＣＨを割り当て可能なユーザ端末数（ユーザ端末の多重数）を向上できる。
【０１１５】
（７）初期ＣＳ間隔の導出例
初期ＣＳインデックスの間隔（初期ＣＳ間隔）は、同じＲＭＳＩインデックス＃ｉによって示される複数のＰＵＣＣＨリソース（例えば、図１のＰＵＣＣＨリソース＃ａｉ〜＃ｈｉ）の間で共通であってもよい（セル固有であってもよい）。
【０１１６】
例えば、カバレッジが大きいセル又はビル等の散乱物が多いセルほど、遅延スプレッド（ＤＳ：Delay  spread）は大きくなるし、カバレッジが小さいセル又は散乱物が小さいセルほど、遅延スプレッドは小さくなる。このように、遅延スプレッドは、セルの状況（セル状況）に応じて定まるため、セル状況に応じて初期ＣＳ間隔を定めることにより、柔軟性が向上する。
【０１１７】
（５）初期ＣＳインデックスの導出例で説明したように、ＰＦ毎に利用可能な（割り当てられる）初期ＣＳインデックスの種類及び／又は数は異なってもよい。このため、ＰＦ毎の初期ＣＳ間隔を定めた一種類以上のセット（初期ＣＳ間隔セット）が定められてもよい。
【０１１８】
２種類の初期ＣＳ間隔セットは、例えば、以下のように定められてもよい。
初期ＣＳ間隔セット＃１：
ＰＦ０用の初期ＣＳインデックス＝｛０，４，８｝
ＰＦ１用の初期ＣＳインデックス＝｛０，２，４，６，８，１０｝
初期ＣＳ間隔セット＃２：
ＰＦ０用の初期ＣＳインデックス＝｛０，３｝
ＰＦ１用の初期ＣＳインデックス＝｛０，３，６，９｝
【０１１９】
図１１Ａ及び１１Ｂは、第２の態様に係る初期ＣＳインデックスの導出の他の例を示す図である。図１１Ａ及び１１Ｂでは、ＲＭＳＩインデックス＃ｉ（例えば、０≦ｉ≦１５）のＰＵＣＣＨリソース＃ａｉ〜＃ｈｉの初期ＣＳインデックスが、初期ＣＳ間隔セット（単に、初期ＣＳ間隔ともいう）の種類毎に導出される点で、図９ＡのＰＦ０と異なる。なお、図９ＢのＰＦ１については図示しないが、同様に、初期ＣＳ間隔セット毎に初期ＣＳインデックスが導出されてもよい。
【０１２０】
図１２Ａ及び１２Ｂは、第２の態様に係るＯＣＣインデックスの導出の他の例を示す図である。図１２Ａ及び１２Ｂでは、ＲＭＳＩインデックス＃ｉ（例えば、０≦ｉ≦１５）のＰＵＣＣＨリソース＃ａｉ〜＃ｈｉのＯＣＣンデックスが、初期ＣＳ間隔セット（単に、初期ＣＳ間隔ともいう）の種類毎に導出される点で、図１１のＰＦ１と異なる。
【０１２１】
＜変更例＞
以上の第１及び第２の決定例は、ＲＲＣコネクションのセットアップ前に（第１の態様との組み合わせで）適用される場合を想定して説明した。一方、第２の決定例は、ＲＲＣコネクションのセットアップ前（第１の態様との組み合わせ）だけでなく、又は、当該ＲＲＣコネクションのセットアップ後に（第２の態様単独で）適用されてもよい。
【０１２２】
例えば、第２の決定例がＲＲＣコネクションのセットアップ後に適用される場合、「ＲＭＳＩインデックス＃ｉ」は、「Ｋ個のＰＵＣＣＨリソースセットのインデックス＃ｉ（０≦ｉ≦Ｋ−１）」と読み替えられてもよい。また、「ＲＭＳＩインデックス＃ｉが示す一以上のＰＵＣＣＨリソース」は、「ＰＵＣＣＨリソースセット＃ｉのＭ個のＰＵＣＣＨリソース（Ｍ≧１）」と読み替えられてもよい。
【０１２３】
（無線通信システム）
以下、本実施の形態に係る無線通信システムの構成について説明する。この無線通信システムでは、上記各態様に係る無線通信方法が適用される。なお、上記各態様に係る無線通信方法は、それぞれ単独で適用されてもよいし、少なくとも２つを組み合わせて適用されてもよい。
【０１２４】
図１３は、本実施の形態に係る無線通信システムの概略構成の一例を示す図である。無線通信システム１では、ＬＴＥシステムのシステム帯域幅（例えば、２０ＭＨｚ）を１単位とする複数の基本周波数ブロック（コンポーネントキャリア）を一体としたキャリアアグリゲーション（ＣＡ）及び／又はデュアルコネクティビティ（ＤＣ）を適用することができる。なお、無線通信システム１は、ＳＵＰＥＲ  ３Ｇ、ＬＴＥ−Ａ（ＬＴＥ−Ａｄｖａｎｃｅｄ）、ＩＭＴ−Ａｄｖａｎｃｅｄ、４Ｇ、５Ｇ、ＦＲＡ（Future  Radio  Access）、ＮＲ（New  RAT：New  Radio  Access  Technology）などと呼ばれても良い。
【０１２５】
図１３に示す無線通信システム１は、マクロセルＣ１を形成する無線基地局１１と、マクロセルＣ１内に配置され、マクロセルＣ１よりも狭いスモールセルＣ２を形成する無線基地局１２ａ〜１２ｃとを備えている。また、マクロセルＣ１及び各スモールセルＣ２には、ユーザ端末２０が配置されている。セル間及び／又はセル内で異なるニューメロロジーが適用される構成としてもよい。
【０１２６】
ここで、ニューメロロジーとは、周波数方向及び／又は時間方向における通信パラメータ（例えば、サブキャリアの間隔（サブキャリア間隔）、帯域幅、シンボル長、ＣＰの時間長（ＣＰ長）、サブフレーム長、ＴＴＩの時間長（ＴＴＩ長）、ＴＴＩあたりのシンボル数、無線フレーム構成、フィルタリング処理、ウィンドウイング処理などの少なくとも一つ）である。無線通信システム１では、例えば、１５ｋＨｚ、３０ｋＨｚ、６０ｋＨｚ、１２０ｋＨｚ、２４０ｋＨｚなどのサブキャリア間隔がサポートされてもよい。
【０１２７】
ユーザ端末２０は、無線基地局１１及び無線基地局１２の双方に接続することができる。ユーザ端末２０は、異なる周波数を用いるマクロセルＣ１とスモールセルＣ２を、ＣＡ又はＤＣにより同時に使用することが想定される。また、ユーザ端末２０は、複数のセル（ＣＣ）（例えば、２個以上のＣＣ）を用いてＣＡ又はＤＣを適用することができる。また、ユーザ端末は、複数のセルとしてライセンスバンドＣＣとアンライセンスバンドＣＣを利用することができる。
【０１２８】
また、ユーザ端末２０は、各セルで、時分割複信（ＴＤＤ：Time  Division  Duplex）又は周波数分割複信（ＦＤＤ：Frequency  Division  Duplex）を用いて通信を行うことができる。ＴＤＤのセル、ＦＤＤのセルは、それぞれ、ＴＤＤキャリア（フレーム構成タイプ２）、ＦＤＤキャリア（フレーム構成タイプ１）等と呼ばれてもよい。
【０１２９】
また、各セル（キャリア）では、単一のニューメロロジーが適用されてもよいし、複数の異なるニューメロロジーが適用されてもよい。
【０１３０】
ユーザ端末２０と無線基地局１１との間は、相対的に低い周波数帯域（例えば、２ＧＨｚ）で帯域幅が狭いキャリア（既存キャリア、Legacy  carrierなどと呼ばれる）を用いて通信を行うことができる。一方、ユーザ端末２０と無線基地局１２との間は、相対的に高い周波数帯域（例えば、３．５ＧＨｚ、５ＧＨｚ、３０〜７０ＧＨｚなど）で帯域幅が広いキャリアが用いられてもよいし、無線基地局１１との間と同じキャリアが用いられてもよい。なお、各無線基地局が利用する周波数帯域の構成はこれに限られない。
【０１３１】
無線基地局１１と無線基地局１２との間（又は、２つの無線基地局１２間）は、有線接続（例えば、ＣＰＲＩ（Common  Public  Radio  Interface）に準拠した光ファイバ、Ｘ２インターフェースなど）又は無線接続する構成とすることができる。
【０１３２】
無線基地局１１及び各無線基地局１２は、それぞれ上位局装置３０に接続され、上位局装置３０を介してコアネットワーク４０に接続される。なお、上位局装置３０には、例えば、アクセスゲートウェイ装置、無線ネットワークコントローラ（ＲＮＣ）、モビリティマネジメントエンティティ（ＭＭＥ）などが含まれるが、これに限定されるものではない。また、各無線基地局１２は、無線基地局１１を介して上位局装置３０に接続されてもよい。
【０１３３】
なお、無線基地局１１は、相対的に広いカバレッジを有する無線基地局であり、マクロ基地局、集約ノード、ｅＮＢ（eNodeB）、ｇＮＢ（gNodeB）、送受信ポイント（ＴＲＰ）、などと呼ばれてもよい。また、無線基地局１２は、局所的なカバレッジを有する無線基地局であり、スモール基地局、マイクロ基地局、ピコ基地局、フェムト基地局、ＨｅＮＢ（Home  eNodeB）、ＲＲＨ（Remote  Radio  Head）、ｅＮＢ、ｇＮＢ、送受信ポイントなどと呼ばれてもよい。以下、無線基地局１１及び１２を区別しない場合は、無線基地局１０と総称する。
【０１３４】
各ユーザ端末２０は、ＬＴＥ、ＬＴＥ−Ａ、５Ｇ、ＮＲなどの各種通信方式に対応した端末であり、移動通信端末だけでなく固定通信端末を含んでもよい。また、ユーザ端末２０は、他のユーザ端末２０との間で端末間通信（Ｄ２Ｄ）を行うことができる。
【０１３５】
無線通信システム１においては、無線アクセス方式として、下りリンク（ＤＬ）にＯＦＤＭＡ（直交周波数分割多元接続）が適用でき、上りリンク（ＵＬ）にＳＣ−ＦＤＭＡ（シングルキャリア−周波数分割多元接続）が適用できる。ＯＦＤＭＡは、周波数帯域を複数の狭い周波数帯域（サブキャリア）に分割し、各サブキャリアにデータをマッピングして通信を行うマルチキャリア伝送方式である。ＳＣ−ＦＤＭＡは、システム帯域幅を端末毎に１つ又は連続したリソースブロックからなる帯域に分割し、複数の端末が互いに異なる帯域を用いることで、端末間の干渉を低減するシングルキャリア伝送方式である。なお、上り及び下りの無線アクセス方式は、これらの組み合わせに限られず、ＵＬでＯＦＤＭＡが用いられてもよい。
【０１３６】
また、無線通信システム１では、マルチキャリア波形（例えば、ＯＦＤＭ波形）が用いられてもよいし、シングルキャリア波形（例えば、ＤＦＴ−ｓ−ＯＦＤＭ波形）が用いられてもよい。
【０１３７】
無線通信システム１では、ＤＬチャネルとして、各ユーザ端末２０で共有されるＤＬ共有チャネル（ＰＤＳＣＨ：Physical  Downlink  Shared  Channel、ＤＬデータチャネル等ともいう）、ブロードキャストチャネル（ＰＢＣＨ：Physical  Broadcast  Channel）、Ｌ１／Ｌ２制御チャネルなどが用いられる。ＰＤＳＣＨにより、ユーザデータや上位レイヤ制御情報、ＳＩＢ（System  Information  Block）などが伝送される。また、ＰＢＣＨにより、ＭＩＢ（Master  Information  Block）が伝送される。
【０１３８】
Ｌ１／Ｌ２制御チャネルは、ＤＬ制御チャネル（ＰＤＣＣＨ（Physical  Downlink  Control  Channel）、ＥＰＤＣＣＨ（Enhanced  Physical  Downlink  Control  Channel））、ＰＣＦＩＣＨ（Physical  Control  Format  Indicator  Channel）、ＰＨＩＣＨ（Physical  Hybrid-ARQ  Indicator  Channel）などを含む。ＰＤＣＣＨにより、ＰＤＳＣＨ及びＰＵＳＣＨのスケジューリング情報を含む下り制御情報（ＤＣＩ：Downlink  Control  Information）などが伝送される。ＰＣＦＩＣＨにより、ＰＤＣＣＨに用いるＯＦＤＭシンボル数が伝送される。ＥＰＤＣＣＨは、ＰＤＳＣＨと周波数分割多重され、ＰＤＣＣＨと同様にＤＣＩなどの伝送に用いられる。ＰＨＩＣＨ、ＰＤＣＣＨ、ＥＰＤＣＣＨの少なくとも一つにより、ＰＵＳＣＨに対するＨＡＲＱの再送制御情報（ＡＣＫ／ＮＡＣＫ）を伝送できる。
【０１３９】
無線通信システム１では、ＵＬチャネルとして、各ユーザ端末２０で共有されるＵＬ共有チャネル（ＰＵＳＣＨ：Physical  Uplink  Shared  Channel、上り共有チャネル等ともいう）、上り制御チャネル（ＰＵＣＣＨ：Physical  Uplink  Control  Channel）、ランダムアクセスチャネル（ＰＲＡＣＨ：Physical  Random  Access  Channel）などが用いられる。ＰＵＳＣＨにより、ユーザデータ、上位レイヤ制御情報が伝送される。ＤＬ信号の再送制御情報（Ａ／Ｎ）やチャネル状態情報（ＣＳＩ）などの少なくとも一つを含む上り制御情報（ＵＣＩ：Uplink  Control  Information）は、ＰＵＳＣＨ又はＰＵＣＣＨにより、伝送される。ＰＲＡＣＨにより、セルとの接続確立のためのランダムアクセスプリアンブルを伝送できる。
【０１４０】
＜無線基地局＞
図１４は、本実施の形態に係る無線基地局の全体構成の一例を示す図である。無線基地局１０は、複数の送受信アンテナ１０１と、アンプ部１０２と、送受信部１０３と、ベースバンド信号処理部１０４と、呼処理部１０５と、伝送路インターフェース１０６とを備えている。なお、送受信アンテナ１０１、アンプ部１０２、送受信部１０３は、それぞれ１つ以上を含むように構成されてもよい。
【０１４１】
ＤＬにより無線基地局１０からユーザ端末２０に送信されるユーザデータは、上位局装置３０から伝送路インターフェース１０６を介してベースバンド信号処理部１０４に入力される。
【０１４２】
ベースバンド信号処理部１０４では、ユーザデータに関して、ＰＤＣＰ（Packet  Data  Convergence  Protocol）レイヤの処理、ユーザデータの分割・結合、ＲＬＣ（Radio  Link  Control）再送制御などのＲＬＣレイヤの送信処理、ＭＡＣ（Medium  Access  Control）再送制御（例えば、ＨＡＲＱ（Hybrid  Automatic  Repeat  reQuest）の送信処理）、スケジューリング、伝送フォーマット選択、チャネル符号化、逆高速フーリエ変換（ＩＦＦＴ：Inverse  Fast  Fourier  Transform）処理、プリコーディング処理などの送信処理が行われて送受信部１０３に転送される。また、下り制御信号に関しても、チャネル符号化や逆高速フーリエ変換などの送信処理が行われて、送受信部１０３に転送される。
【０１４３】
送受信部１０３は、ベースバンド信号処理部１０４からアンテナ毎にプリコーディングして出力されたベースバンド信号を無線周波数帯に変換して送信する。送受信部１０３で周波数変換された無線周波数信号は、アンプ部１０２により増幅され、送受信アンテナ１０１から送信される。
【０１４４】
本発明に係る技術分野での共通認識に基づいて説明されるトランスミッター／レシーバー、送受信回路又は送受信装置から構成することができる。なお、送受信部１０３は、一体の送受信部として構成されてもよいし、送信部及び受信部から構成されてもよい。
【０１４５】
一方、ＵＬ信号については、送受信アンテナ１０１で受信された無線周波数信号がアンプ部１０２で増幅される。送受信部１０３はアンプ部１０２で増幅されたＵＬ信号を受信する。送受信部１０３は、受信信号をベースバンド信号に周波数変換して、ベースバンド信号処理部１０４に出力する。
【０１４６】
ベースバンド信号処理部１０４では、入力されたＵＬ信号に含まれるＵＬデータに対して、高速フーリエ変換（ＦＦＴ：Fast  Fourier  Transform）処理、逆離散フーリエ変換（ＩＤＦＴ：Inverse  Discrete  Fourier  Transform）処理、誤り訂正復号、ＭＡＣ再送制御の受信処理、ＲＬＣレイヤ及びＰＤＣＰレイヤの受信処理がなされ、伝送路インターフェース１０６を介して上位局装置３０に転送される。呼処理部１０５は、通信チャネルの設定や解放などの呼処理や、無線基地局１０の状態管理や、無線リソースの管理を行う。
【０１４７】
伝送路インターフェース１０６は、所定のインターフェースを介して、上位局装置３０と信号を送受信する。また、伝送路インターフェース１０６は、基地局間インターフェース（例えば、ＣＰＲＩ（Common  Public  Radio  Interface）に準拠した光ファイバ、Ｘ２インターフェース）を介して隣接無線基地局１０と信号を送受信（バックホールシグナリング）してもよい。
【０１４８】
また、送受信部１０３は、ユーザ端末２０に対してＤＬ信号（ＤＬデータ信号、ＤＬ制御信号（ＤＣＩ）、ＤＬ参照信号の少なくとも一つを含む）を送信し、当該ユーザ端末２０からのＵＬ信号（ＵＬデータ信号、ＵＬ制御信号、ＵＬ参照信号の少なくとも一つを含む）を受信する。
【０１４９】
また、送受信部１０３は、上り共有チャネル（例えば、ＰＵＳＣＨ）又は上り制御チャネル（例えば、ショートＰＵＣＣＨ及び／又はロングＰＵＣＣＨ）を用いて、ユーザ端末２０からのＵＣＩを受信する。当該ＵＣＩは、ＤＬデータチャネル（例えば、ＰＤＳＣＨ）のＨＡＲＱ−ＡＣＫ、ＣＳＩ、ＳＲ、ビームの識別情報（例えば、ビームインデックス（ＢＩ））、バッファステータスレポート（ＢＳＲ）の少なくとも一つを含んでもよい。
【０１５０】
また、送受信部１０３は、上り制御チャネルを用いて上り制御情報を受信してもよい。また、送受信部１０３は、前記上り制御チャネル用の一以上のリソース（ＰＵＣＣＨリソース）を示すインデックス値を含むシステム情報（例えば、ＲＭＳＩ）を送信してもよい。また、送受信部１０３は、上り制御チャネル用の一以上のリソースを示す情報を上位レイヤシグナリング（例えば、ＲＲＣシグナリング）により送信してもよい。
【０１５１】
図１５は、本実施の形態に係る無線基地局の機能構成の一例を示す図である。なお、図１５は、本実施の形態における特徴部分の機能ブロックを主に示しており、無線基地局１０は、無線通信に必要な他の機能ブロックも有しているものとする。図１５に示すように、ベースバンド信号処理部１０４は、制御部３０１と、送信信号生成部３０２と、マッピング部３０３と、受信信号処理部３０４と、測定部３０５とを備えている。
【０１５２】
制御部３０１は、無線基地局１０全体の制御を実施する。制御部３０１は、例えば、送信信号生成部３０２によるＤＬ信号の生成や、マッピング部３０３によるＤＬ信号のマッピング、受信信号処理部３０４によるＵＬ信号の受信処理（例えば、復調など）、測定部３０５による測定を制御する。
【０１５３】
具体的には、制御部３０１は、ユーザ端末２０のスケジューリングを行う。具体的には、制御部３０１は、ユーザ端末２０からのＵＣＩ（例えば、ＣＳＩ及び／又はＢＩ）に基づいて、ＤＬデータ及び／又は上り共有チャネルのスケジューリング及び／又は再送制御を行ってもよい。
【０１５４】
また、制御部３０１は、上り制御チャネル（例えば、ロングＰＵＣＣＨ及び／又はショートＰＵＣＣＨ）の構成（フォーマット）を制御し、当該上り制御チャネルに関する制御情報を送信するよう制御してもよい。
【０１５５】
また、制御部３０１は、ＰＵＣＣＨリソースを制御してもよい。具体的には、制御部３０１は、予め仕様で定められた所定数のＰＵＣＣＨリソースの中から、ユーザ端末２０に設定する一以上のＰＵＣＣＨリソースを決定してもよい。また、制御部３０１は、決定されたＰＵＣＣＨリソースの少なくとも一つを示すシステム情報（例えば、ＲＭＳＩ）の生成及び送信の少なくとも一つを制御してもよい。
【０１５６】
また、制御部３０１は、異なる数のＰＵＣＣＨリソースを少なくとも示す複数のインデックス値の中から、システム情報内に含めるインデックス値を決定してもよい。例えば、制御部３０１は、セル内のユーザ端末の数に基づいて、当該インデックス値を決定してもよい。
【０１５７】
制御部３０１は、上り制御チャネルのフォーマットに基づいて、ユーザ端末２０からのＵＣＩの受信処理を行うように、受信信号処理部３０４を制御してもよい。
【０１５８】
制御部３０１は、本発明に係る技術分野での共通認識に基づいて説明されるコントローラ、制御回路又は制御装置から構成することができる。
【０１５９】
送信信号生成部３０２は、制御部３０１からの指示に基づいて、ＤＬ信号（ＤＬデータ信号、ＤＬ制御信号、ＤＬ参照信号を含む）を生成して、マッピング部３０３に出力する。
【０１６０】
送信信号生成部３０２は、本発明に係る技術分野での共通認識に基づいて説明される信号生成器、信号生成回路又は信号生成装置とすることができる。
【０１６１】
マッピング部３０３は、制御部３０１からの指示に基づいて、送信信号生成部３０２で生成されたＤＬ信号を、所定の無線リソースにマッピングして、送受信部１０３に出力する。マッピング部３０３は、本発明に係る技術分野での共通認識に基づいて説明されるマッパー、マッピング回路又はマッピング装置とすることができる。
【０１６２】
受信信号処理部３０４は、ユーザ端末２０から送信されるＵＬ信号（例えば、ＵＬデータ信号、ＵＬ制御信号、ＵＬ参照信号を含む）に対して、受信処理（例えば、デマッピング、復調、復号など）を行う。具体的には、受信信号処理部３０４は、受信信号や、受信処理後の信号を、測定部３０５に出力してもよい。また、受信信号処理部３０４は、制御部３０１から指示される上り制御チャネル構成に基づいて、ＵＣＩの受信処理を行う。
【０１６３】
測定部３０５は、受信した信号に関する測定を実施する。測定部３０５は、本発明に係る技術分野での共通認識に基づいて説明される測定器、測定回路又は測定装置から構成することができる。
【０１６４】
測定部３０５は、例えば、ＵＬ参照信号の受信電力（例えば、ＲＳＲＰ（Reference  Signal  Received  Power））及び／又は受信品質（例えば、ＲＳＲＱ（Reference  Signal  Received  Quality））に基づいて、ＵＬのチャネル品質を測定してもよい。測定結果は、制御部３０１に出力されてもよい。
【０１６５】
＜ユーザ端末＞
図１６は、本実施の形態に係るユーザ端末の全体構成の一例を示す図である。ユーザ端末２０は、ＭＩＭＯ伝送のための複数の送受信アンテナ２０１と、アンプ部２０２と、送受信部２０３と、ベースバンド信号処理部２０４と、アプリケーション部２０５と、を備えている。
【０１６６】
複数の送受信アンテナ２０１で受信された無線周波数信号は、それぞれアンプ部２０２で増幅される。各送受信部２０３はアンプ部２０２で増幅されたＤＬ信号を受信する。送受信部２０３は、受信信号をベースバンド信号に周波数変換して、ベースバンド信号処理部２０４に出力する。
【０１６７】
ベースバンド信号処理部２０４は、入力されたベースバンド信号に対して、ＦＦＴ処理や、誤り訂正復号、再送制御の受信処理などを行う。ＤＬデータは、アプリケーション部２０５に転送される。アプリケーション部２０５は、物理レイヤやＭＡＣレイヤより上位のレイヤに関する処理などを行う。また、ブロードキャスト情報もアプリケーション部２０５に転送される。
【０１６８】
一方、ＵＬデータについては、アプリケーション部２０５からベースバンド信号処理部２０４に入力される。ベースバンド信号処理部２０４では、再送制御の送信処理（例えば、ＨＡＲＱの送信処理）や、チャネル符号化、レートマッチング、パンクチャ、離散フーリエ変換（ＤＦＴ：Discrete  Fourier  Transform）処理、ＩＦＦＴ処理などが行われて各送受信部２０３に転送される。ＵＣＩについても、チャネル符号化、レートマッチング、パンクチャ、ＤＦＴ処理、ＩＦＦＴ処理の少なくとも一つが行われて各送受信部２０３に転送される。
【０１６９】
送受信部２０３は、ベースバンド信号処理部２０４から出力されたベースバンド信号を無線周波数帯に変換して送信する。送受信部２０３で周波数変換された無線周波数信号は、アンプ部２０２により増幅され、送受信アンテナ２０１から送信される。
【０１７０】
また、送受信部２０３は、ユーザ端末２０に設定されたニューメロロジーのＤＬ信号（ＤＬデータ信号、ＤＬ制御信号、ＤＬ参照信号を含む）を受信し、当該ニューメロロジーのＵＬ信号（ＵＬデータ信号、ＵＬ制御信号、ＵＬ参照信号を含む）を送信する。
【０１７１】
また、送受信部２０３は、上り共有チャネル（例えば、ＰＵＳＣＨ）又は上り制御チャネル（例えば、ショートＰＵＣＣＨ及び／又はロングＰＵＣＣＨ）を用いて、無線基地局１０に対して、ＵＣＩを送信する。
【０１７２】
また、送受信部２０３は、上り制御チャネルを用いて上り制御情報を送信してもよい。また、送受信部２０３は、前記上り制御チャネル用の一以上のリソース（ＰＵＣＣＨリソース）を示すインデックス値を含むシステム情報（例えば、ＲＭＳＩ）を受信してもよい。また、送受信部１０３は、上り制御チャネル用の一以上のリソースを示す情報を上位レイヤシグナリング（例えば、ＲＲＣシグナリング）により受信してもよい。
【０１７３】
送受信部２０３は、本発明に係る技術分野での共通認識に基づいて説明されるトランスミッター／レシーバー、送受信回路又は送受信装置とすることができる。また、送受信部２０３は、一体の送受信部として構成されてもよいし、送信部及び受信部から構成されてもよい。
【０１７４】
図１７は、本実施の形態に係るユーザ端末の機能構成の一例を示す図である。なお、図１７においては、本実施の形態における特徴部分の機能ブロックを主に示しており、ユーザ端末２０は、無線通信に必要な他の機能ブロックも有しているものとする。図１７に示すように、ユーザ端末２０が有するベースバンド信号処理部２０４は、制御部４０１と、送信信号生成部４０２と、マッピング部４０３と、受信信号処理部４０４と、測定部４０５と、を備えている。
【０１７５】
制御部４０１は、ユーザ端末２０全体の制御を実施する。制御部４０１は、例えば、送信信号生成部４０２によるＵＬ信号の生成や、マッピング部４０３によるＵＬ信号のマッピング、受信信号処理部４０４によるＤＬ信号の受信処理、測定部４０５による測定を制御する。
【０１７６】
また、制御部４０１は、無線基地局１０からの明示的指示又はユーザ端末２０における黙示的決定に基づいて、ユーザ端末２０からのＵＣＩの送信に用いる上り制御チャネルを制御する。
【０１７７】
また、制御部４０１は、上り制御チャネル（例えば、ロングＰＵＣＣＨ及び／又はショートＰＵＣＣＨ）の構成（フォーマット）を制御してもよい。制御部４０１は、無線基地局１０からの制御情報に基づいて、当該上り制御チャネルのフォーマットを制御してもよい。また、制御部４０１は、フォールバックに関する情報に基づいて、ＵＣＩの送信に用いるＰＵＣＣＨフォーマット（上りリンク制御チャネルのフォーマット）を制御してもよい。
【０１７８】
また、制御部４０１は、上位レイヤシグナリング及び／又は下り制御情報に基づいて、ＰＵＣＣＨフォーマットで用いられるＰＵＣＣＨリソースを決定してもよい。
【０１７９】
具体的には、制御部４０１は、ＲＲＣ（Radio  Resource  Control）コネクションのセットアップ前に、上り制御チャネルを用いてＵＣＩを送信する場合、システム情報（例えば、ＲＭＳＩ）内のインデックスに基づいて、前記ＵＣＩの送信に用いられる前記上り制御チャネル用のリソースを決定してもよい。
【０１８０】
例えば、制御部４０１は、システム情報に含まれる前記インデックス値が示す一以上のＰＵＣＣＨリソースの中から、下り制御情報内のビット値及び黙示値の少なくとも一つに基づいて、前記上り制御情報の送信用のリソースを決定してもよい（第１の態様）。
【０１８１】
ここで、前記システム情報に含まれる前記インデックス値は、前記ビット値だけで前記送信用のリソースを決定可能な数のリソースを示す一以上のインデックス値と、前記ビット値及び前記黙示値の組み合わせによって前記送信用のリソースを決定可能な数のリソースを示す一以上のインデックス値との中からセットされてもよい（図１、４）。
【０１８２】
また、制御部４０１は、前記インデックス値が示す前記一以上のＰＵＣＣＨリソースに含まれるパラメータ値を規定するテーブルに基づいて、ＰＵＣＣＨリソースの各パラメータ値を決定してもよい（第２の態様、第１の決定例）。当該テーブルは、ユーザ端末２０の記憶部に記憶されてもよい。
【０１８３】
また、制御部４０１は、前記インデックス値が示す前記一以上のリソースの中の特定のＰＵＣＣＨリソースに含まれるパラメータ値を規定するテーブルに基づいて、ＰＵＣＣＨリソースの各パラメータ値を決定してもよい（第２の態様、第２の決定例）。当該テーブルは、ユーザ端末２０の記憶部に記憶されてもよい。また、制御部４０１は、当該パラメータ値に基づいて、前記一以上のリソースの中の他のリソースに含まれるパラメータ値を導出してもよい。
【０１８４】
制御部４０１は、本発明に係る技術分野での共通認識に基づいて説明されるコントローラ、制御回路又は制御装置から構成することができる。
【０１８５】
送信信号生成部４０２は、制御部４０１からの指示に基づいて、ＵＬ信号（ＵＬデータ信号、ＵＬ制御信号、ＵＬ参照信号、ＵＣＩを含む）を生成（例えば、符号化、レートマッチング、パンクチャ、変調など）して、マッピング部４０３に出力する。送信信号生成部４０２は、本発明に係る技術分野での共通認識に基づいて説明される信号生成器、信号生成回路又は信号生成装置とすることができる。
【０１８６】
マッピング部４０３は、制御部４０１からの指示に基づいて、送信信号生成部４０２で生成されたＵＬ信号を無線リソースにマッピングして、送受信部２０３へ出力する。マッピング部４０３は、本発明に係る技術分野での共通認識に基づいて説明されるマッパー、マッピング回路又はマッピング装置とすることができる。
【０１８７】
受信信号処理部４０４は、ＤＬ信号（ＤＬデータ信号、スケジューリング情報、ＤＬ制御信号、ＤＬ参照信号）に対して、受信処理（例えば、デマッピング、復調、復号など）を行う。受信信号処理部４０４は、無線基地局１０から受信した情報を、制御部４０１に出力する。受信信号処理部４０４は、例えば、報知情報、システム情報、ＲＲＣシグナリングなどの上位レイヤシグナリングによる上位レイヤ制御情報、物理レイヤ制御情報（Ｌ１／Ｌ２制御情報）などを、制御部４０１に出力する。
【０１８８】
受信信号処理部４０４は、本発明に係る技術分野での共通認識に基づいて説明される信号処理器、信号処理回路又は信号処理装置から構成することができる。また、受信信号処理部４０４は、本発明に係る受信部を構成することができる。
【０１８９】
測定部４０５は、無線基地局１０からの参照信号（例えば、ＣＳＩ−ＲＳ）に基づいて、チャネル状態を測定し、測定結果を制御部４０１に出力する。なお、チャネル状態の測定は、ＣＣ毎に行われてもよい。
【０１９０】
測定部４０５は、本発明に係る技術分野での共通認識に基づいて説明される信号処理器、信号処理回路又は信号処理装置、並びに、測定器、測定回路又は測定装置から構成することができる。
【０１９１】
＜ハードウェア構成＞
なお、上記実施形態の説明に用いたブロック図は、機能単位のブロックを示している。これらの機能ブロック（構成部）は、ハードウェア及び／又はソフトウェアの任意の組み合わせによって実現される。また、各機能ブロックの実現方法は特に限定されない。すなわち、各機能ブロックは、物理的及び／又は論理的に結合した１つの装置を用いて実現されてもよいし、物理的及び／又は論理的に分離した２つ以上の装置を直接的及び／又は間接的に（例えば、有線及び／又は無線を用いて）接続し、これら複数の装置を用いて実現されてもよい。
【０１９２】
例えば、本発明の一実施形態における無線基地局、ユーザ端末などは、本発明の無線通信方法の処理を行うコンピュータとして機能してもよい。図１８は、本発明の一実施形態に係る無線基地局及びユーザ端末のハードウェア構成の一例を示す図である。上述の無線基地局１０及びユーザ端末２０は、物理的には、プロセッサ１００１、メモリ１００２、ストレージ１００３、通信装置１００４、入力装置１００５、出力装置１００６、バス１００７などを含むコンピュータ装置として構成されてもよい。
【０１９３】
なお、以下の説明では、「装置」という文言は、回路、デバイス、ユニットなどに読み替えることができる。無線基地局１０及びユーザ端末２０のハードウェア構成は、図に示した各装置を１つ又は複数含むように構成されてもよいし、一部の装置を含まずに構成されてもよい。
【０１９４】
例えば、プロセッサ１００１は１つだけ図示されているが、複数のプロセッサがあってもよい。また、処理は、１のプロセッサによって実行されてもよいし、処理が同時に、逐次に、又はその他の手法を用いて、１以上のプロセッサによって実行されてもよい。なお、プロセッサ１００１は、１以上のチップによって実装されてもよい。
【０１９５】
無線基地局１０及びユーザ端末２０における各機能は、例えば、プロセッサ１００１、メモリ１００２などのハードウェア上に所定のソフトウェア（プログラム）を読み込ませることによって、プロセッサ１００１が演算を行い、通信装置１００４を介する通信を制御したり、メモリ１００２及びストレージ１００３におけるデータの読み出し及び／又は書き込みを制御したりすることによって実現される。
【０１９６】
プロセッサ１００１は、例えば、オペレーティングシステムを動作させてコンピュータ全体を制御する。プロセッサ１００１は、周辺装置とのインターフェース、制御装置、演算装置、レジスタなどを含む中央処理装置（ＣＰＵ：Central  Processing  Unit）によって構成されてもよい。例えば、上述のベースバンド信号処理部１０４（２０４）、呼処理部１０５などは、プロセッサ１００１によって実現されてもよい。
【０１９７】
また、プロセッサ１００１は、プログラム（プログラムコード）、ソフトウェアモジュール、データなどを、ストレージ１００３及び／又は通信装置１００４からメモリ１００２に読み出し、これらに従って各種の処理を実行する。プログラムとしては、上述の実施形態において説明した動作の少なくとも一部をコンピュータに実行させるプログラムが用いられる。例えば、ユーザ端末２０の制御部４０１は、メモリ１００２に格納され、プロセッサ１００１において動作する制御プログラムによって実現されてもよく、他の機能ブロックについても同様に実現されてもよい。
【０１９８】
メモリ１００２は、コンピュータ読み取り可能な記録媒体であり、例えば、ＲＯＭ（Read  Only  Memory）、ＥＰＲＯＭ（Erasable  Programmable  ROM）、ＥＥＰＲＯＭ（Electrically  EPROM）、ＲＡＭ（Random  Access  Memory）、その他の適切な記憶媒体の少なくとも１つによって構成されてもよい。メモリ１００２は、レジスタ、キャッシュ、メインメモリ（主記憶装置）などと呼ばれてもよい。メモリ１００２は、本発明の一実施形態に係る無線通信方法を実施するために実行可能なプログラム（プログラムコード）、ソフトウェアモジュールなどを保存することができる。
【０１９９】
ストレージ１００３は、コンピュータ読み取り可能な記録媒体であり、例えば、フレキシブルディスク、フロッピー（登録商標）ディスク、光磁気ディスク（例えば、コンパクトディスク（ＣＤ−ＲＯＭ（Compact  Disc  ROM）など）、デジタル多用途ディスク、Ｂｌｕ−ｒａｙ（登録商標）ディスク）、リムーバブルディスク、ハードディスクドライブ、スマートカード、フラッシュメモリデバイス（例えば、カード、スティック、キードライブ）、磁気ストライプ、データベース、サーバ、その他の適切な記憶媒体の少なくとも１つによって構成されてもよい。ストレージ１００３は、補助記憶装置と呼ばれてもよい。
【０２００】
通信装置１００４は、有線及び／又は無線ネットワークを介してコンピュータ間の通信を行うためのハードウェア（送受信デバイス）であり、例えばネットワークデバイス、ネットワークコントローラ、ネットワークカード、通信モジュールなどともいう。通信装置１００４は、例えば周波数分割複信（ＦＤＤ：Frequency  Division  Duplex）及び／又は時分割複信（ＴＤＤ：Time  Division  Duplex）を実現するために、高周波スイッチ、デュプレクサ、フィルタ、周波数シンセサイザなどを含んで構成されてもよい。例えば、上述の送受信アンテナ１０１（２０１）、アンプ部１０２（２０２）、送受信部１０３（２０３）、伝送路インターフェース１０６などは、通信装置１００４によって実現されてもよい。
【０２０１】
入力装置１００５は、外部からの入力を受け付ける入力デバイス（例えば、キーボード、マウス、マイクロフォン、スイッチ、ボタン、センサなど）である。出力装置１００６は、外部への出力を実施する出力デバイス（例えば、ディスプレイ、スピーカー、ＬＥＤ（Light  Emitting  Diode）ランプなど）である。なお、入力装置１００５及び出力装置１００６は、一体となった構成（例えば、タッチパネル）であってもよい。
【０２０２】
また、プロセッサ１００１、メモリ１００２などの各装置は、情報を通信するためのバス１００７によって接続される。バス１００７は、単一のバスを用いて構成されてもよいし、装置間ごとに異なるバスを用いて構成されてもよい。
【０２０３】
また、無線基地局１０及びユーザ端末２０は、マイクロプロセッサ、デジタル信号プロセッサ（ＤＳＰ：Digital  Signal  Processor）、ＡＳＩＣ（Application  Specific  Integrated  Circuit）、ＰＬＤ（Programmable  Logic  Device）、ＦＰＧＡ（Field  Programmable  Gate  Array）などのハードウェアを含んで構成されてもよく、当該ハードウェアを用いて各機能ブロックの一部又は全てが実現されてもよい。例えば、プロセッサ１００１は、これらのハードウェアの少なくとも１つを用いて実装されてもよい。
【０２０４】
（変形例）
なお、本明細書において説明した用語及び／又は本明細書の理解に必要な用語については、同一の又は類似する意味を有する用語と置き換えてもよい。例えば、チャネル及び／又はシンボルは信号（シグナリング）であってもよい。また、信号はメッセージであってもよい。参照信号は、ＲＳ（Reference  Signal）と略称することもでき、適用される標準によってパイロット（Pilot）、パイロット信号などと呼ばれてもよい。また、コンポーネントキャリア（ＣＣ：Component  Carrier）は、セル、周波数キャリア、キャリア周波数などと呼ばれてもよい。
【０２０５】
また、無線フレームは、時間領域において１つ又は複数の期間（フレーム）によって構成されてもよい。無線フレームを構成する当該１つ又は複数の各期間（フレーム）は、サブフレームと呼ばれてもよい。さらに、サブフレームは、時間領域において１つ又は複数のスロットによって構成されてもよい。サブフレームは、ニューメロロジーに依存しない固定の時間長（例えば、１ｍｓ）であってもよい。
【０２０６】
さらに、スロットは、時間領域において１つ又は複数のシンボル（ＯＦＤＭ（Orthogonal  Frequency  Division  Multiplexing）シンボル、ＳＣ−ＦＤＭＡ（Single  Carrier  Frequency  Division  Multiple  Access）シンボルなど）によって構成されてもよい。また、スロットは、ニューメロロジーに基づく時間単位であってもよい。また、スロットは、複数のミニスロットを含んでもよい。各ミニスロットは、時間領域において１つ又は複数のシンボルによって構成されてもよい。また、ミニスロットは、サブスロットと呼ばれてもよい。
【０２０７】
無線フレーム、サブフレーム、スロット、ミニスロット及びシンボルは、いずれも信号を伝送する際の時間単位を表す。無線フレーム、サブフレーム、スロット、ミニスロット及びシンボルは、それぞれに対応する別の呼称が用いられてもよい。例えば、１サブフレームは送信時間間隔（ＴＴＩ：Transmission  Time  Interval）と呼ばれてもよいし、複数の連続したサブフレームがＴＴＩと呼ばれてよいし、１スロット又は１ミニスロットがＴＴＩと呼ばれてもよい。つまり、サブフレーム及び／又はＴＴＩは、既存のＬＴＥにおけるサブフレーム（１ｍｓ）であってもよいし、１ｍｓより短い期間（例えば、１−１３シンボル）であってもよいし、１ｍｓより長い期間であってもよい。なお、ＴＴＩを表す単位は、サブフレームではなくスロット、ミニスロットなどと呼ばれてもよい。
【０２０８】
ここで、ＴＴＩは、例えば、無線通信におけるスケジューリングの最小時間単位のことをいう。例えば、ＬＴＥシステムでは、無線基地局が各ユーザ端末に対して、無線リソース（各ユーザ端末において使用することが可能な周波数帯域幅、送信電力など）を、ＴＴＩ単位で割り当てるスケジューリングを行う。なお、ＴＴＩの定義はこれに限られない。
【０２０９】
ＴＴＩは、チャネル符号化されたデータパケット（トランスポートブロック）、コードブロック、及び／又はコードワードの送信時間単位であってもよいし、スケジューリング、リンクアダプテーションなどの処理単位となってもよい。なお、ＴＴＩが与えられたとき、実際にトランスポートブロック、コードブロック、及び／又はコードワードがマッピングされる時間区間（例えば、シンボル数）は、当該ＴＴＩよりも短くてもよい。
【０２１０】
なお、１スロット又は１ミニスロットがＴＴＩと呼ばれる場合、１以上のＴＴＩ（すなわち、１以上のスロット又は１以上のミニスロット）が、スケジューリングの最小時間単位となってもよい。また、当該スケジューリングの最小時間単位を構成するスロット数（ミニスロット数）は制御されてもよい。
【０２１１】
１ｍｓの時間長を有するＴＴＩは、通常ＴＴＩ（ＬＴＥ  Ｒｅｌ．８−１２におけるＴＴＩ）、ノーマルＴＴＩ、ロングＴＴＩ、通常サブフレーム、ノーマルサブフレーム、又はロングサブフレームなどと呼ばれてもよい。通常ＴＴＩより短いＴＴＩは、短縮ＴＴＩ、ショートＴＴＩ、部分ＴＴＩ（partial又はfractional  TTI）、短縮サブフレーム、ショートサブフレーム、ミニスロット、又は、サブスロットなどと呼ばれてもよい。
【０２１２】
なお、ロングＴＴＩ（例えば、通常ＴＴＩ、サブフレームなど）は、１ｍｓを超える時間長を有するＴＴＩで読み替えてもよいし、ショートＴＴＩ（例えば、短縮ＴＴＩなど）は、ロングＴＴＩのＴＴＩ長未満かつ１ｍｓ以上のＴＴＩ長を有するＴＴＩで読み替えてもよい。
【０２１３】
リソースブロック（ＲＢ：Resource  Block）は、時間領域及び周波数領域のリソース割当単位であり、周波数領域において、１つ又は複数個の連続した副搬送波（サブキャリア（subcarrier））を含んでもよい。また、ＲＢは、時間領域において、１つ又は複数個のシンボルを含んでもよく、１スロット、１ミニスロット、１サブフレーム又は１ＴＴＩの長さであってもよい。１ＴＴＩ、１サブフレームは、それぞれ１つ又は複数のリソースブロックによって構成されてもよい。なお、１つ又は複数のＲＢは、物理リソースブロック（ＰＲＢ：Physical  RB）、サブキャリアグループ（ＳＣＧ：Sub-Carrier  Group）、リソースエレメントグループ（ＲＥＧ：Resource  Element  Group）、ＰＲＢペア、ＲＢペアなどと呼ばれてもよい。
【０２１４】
また、リソースブロックは、１つ又は複数のリソースエレメント（ＲＥ：Resource  Element）によって構成されてもよい。例えば、１ＲＥは、１サブキャリア及び１シンボルの無線リソース領域であってもよい。
【０２１５】
なお、上述した無線フレーム、サブフレーム、スロット、ミニスロット及びシンボルなどの構造は例示に過ぎない。例えば、無線フレームに含まれるサブフレームの数、サブフレーム又は無線フレームあたりのスロットの数、スロット内に含まれるミニスロットの数、スロット又はミニスロットに含まれるシンボル及びＲＢの数、ＲＢに含まれるサブキャリアの数、並びにＴＴＩ内のシンボル数、シンボル長、サイクリックプレフィックス（ＣＰ：Cyclic  Prefix）長などの構成は、様々に変更することができる。
【０２１６】
また、本明細書において説明した情報、パラメータなどは、絶対値を用いて表されてもよいし、所定の値からの相対値を用いて表されてもよいし、対応する別の情報を用いて表されてもよい。例えば、無線リソースは、所定のインデックスによって指示されてもよい。
【０２１７】
本明細書においてパラメータなどに使用する名称は、いかなる点においても限定的な名称ではない。例えば、様々なチャネル（ＰＵＣＣＨ（Physical  Uplink  Control  Channel）、ＰＤＣＣＨ（Physical  Downlink  Control  Channel）など）及び情報要素は、あらゆる好適な名称によって識別できるので、これらの様々なチャネル及び情報要素に割り当てている様々な名称は、いかなる点においても限定的な名称ではない。
【０２１８】
本明細書において説明した情報、信号などは、様々な異なる技術のいずれかを使用して表されてもよい。例えば、上記の説明全体に渡って言及され得るデータ、命令、コマンド、情報、信号、ビット、シンボル、チップなどは、電圧、電流、電磁波、磁界若しくは磁性粒子、光場若しくは光子、又はこれらの任意の組み合わせによって表されてもよい。
【０２１９】
また、情報、信号などは、上位レイヤから下位レイヤ、及び／又は下位レイヤから上位レイヤへ出力され得る。情報、信号などは、複数のネットワークノードを介して入出力されてもよい。
【０２２０】
入出力された情報、信号などは、特定の場所（例えば、メモリ）に保存されてもよいし、管理テーブルを用いて管理してもよい。入出力される情報、信号などは、上書き、更新又は追記をされ得る。出力された情報、信号などは、削除されてもよい。入力された情報、信号などは、他の装置へ送信されてもよい。
【０２２１】
情報の通知は、本明細書において説明した態様／実施形態に限られず、他の方法を用いて行われてもよい。例えば、情報の通知は、物理レイヤシグナリング（例えば、下り制御情報（ＤＣＩ：Downlink  Control  Information）、上り制御情報（ＵＣＩ：Uplink  Control  Information））、上位レイヤシグナリング（例えば、ＲＲＣ（Radio  Resource  Control）シグナリング、ブロードキャスト情報（マスタ情報ブロック（ＭＩＢ：Master  Information  Block）、システム情報ブロック（ＳＩＢ：System  Information  Block）など）、ＭＡＣ（Medium  Access  Control）シグナリング）、その他の信号又はこれらの組み合わせによって実施されてもよい。
【０２２２】
なお、物理レイヤシグナリングは、Ｌ１／Ｌ２（Layer  1／Layer  2）制御情報（Ｌ１／Ｌ２制御信号）、Ｌ１制御情報（Ｌ１制御信号）などと呼ばれてもよい。また、ＲＲＣシグナリングは、ＲＲＣメッセージと呼ばれてもよく、例えば、ＲＲＣ接続セットアップ（RRCConnectionSetup）メッセージ、ＲＲＣ接続再構成（RRCConnectionReconfiguration）メッセージなどであってもよい。また、ＭＡＣシグナリングは、例えば、ＭＡＣ制御要素（ＭＡＣ  ＣＥ（Control  Element））を用いて通知されてもよい。
【０２２３】
また、所定の情報の通知（例えば、「Ｘであること」の通知）は、明示的な通知に限られず、暗示的に（例えば、当該所定の情報の通知を行わないことによって又は別の情報の通知によって）行われてもよい。
【０２２４】
判定は、１ビットで表される値（０か１か）によって行われてもよいし、真（true）又は偽（false）で表される真偽値（boolean）によって行われてもよいし、数値の比較（例えば、所定の値との比較）によって行われてもよい。
【０２２５】
ソフトウェアは、ソフトウェア、ファームウェア、ミドルウェア、マイクロコード、ハードウェア記述言語と呼ばれるか、他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能などを意味するよう広く解釈されるべきである。
【０２２６】
また、ソフトウェア、命令、情報などは、伝送媒体を介して送受信されてもよい。例えば、ソフトウェアが、有線技術（同軸ケーブル、光ファイバケーブル、ツイストペア、デジタル加入者回線（ＤＳＬ：Digital  Subscriber  Line）など）及び／又は無線技術（赤外線、マイクロ波など）を使用してウェブサイト、サーバ、又は他のリモートソースから送信される場合、これらの有線技術及び／又は無線技術は、伝送媒体の定義内に含まれる。
【０２２７】
本明細書において使用する「システム」及び「ネットワーク」という用語は、互換的に使用され得る。
【０２２８】
本明細書においては、「基地局（ＢＳ：Base  Station）」、「無線基地局」、「ｅＮＢ」、「ｇＮＢ」、「セル」、「セクタ」、「セルグループ」、「キャリア」及び「コンポーネントキャリア」という用語は、互換的に使用され得る。基地局は、固定局（fixed  station）、ＮｏｄｅＢ、ｅＮｏｄｅＢ（ｅＮＢ）、アクセスポイント（access  point）、送信ポイント、受信ポイント、送受信ポイント、フェムトセル、スモールセルなどの用語で呼ばれる場合もある。
【０２２９】
基地局は、１つ又は複数（例えば、３つ）のセル（セクタとも呼ばれる）を収容することができる。基地局が複数のセルを収容する場合、基地局のカバレッジエリア全体は複数のより小さいエリアに区分でき、各々のより小さいエリアは、基地局サブシステム（例えば、屋内用の小型基地局（ＲＲＨ：Remote  Radio  Head））によって通信サービスを提供することもできる。「セル」又は「セクタ」という用語は、このカバレッジにおいて通信サービスを行う基地局及び／又は基地局サブシステムのカバレッジエリアの一部又は全体を指す。
【０２３０】
本明細書においては、「移動局（ＭＳ：Mobile  Station）」、「ユーザ端末（user  terminal）」、「ユーザ装置（ＵＥ：User  Equipment）」及び「端末」という用語は、互換的に使用され得る。
【０２３１】
移動局は、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント又はいくつかの他の適切な用語で呼ばれる場合もある。
【０２３２】
基地局及び／又は移動局は、送信装置、受信装置などと呼ばれてもよい。
【０２３３】
また、本明細書における無線基地局は、ユーザ端末で読み替えてもよい。例えば、無線基地局及びユーザ端末間の通信を、複数のユーザ端末間（Ｄ２Ｄ：Device-to-Device）の通信に置き換えた構成について、本発明の各態様／実施形態を適用してもよい。この場合、上述の無線基地局１０が有する機能をユーザ端末２０が有する構成としてもよい。また、「上り」及び「下り」などの文言は、「サイド」と読み替えられてもよい。例えば、上りチャネルは、サイドチャネルと読み替えられてもよい。
【０２３４】
同様に、本明細書におけるユーザ端末は、無線基地局で読み替えてもよい。この場合、上述のユーザ端末２０が有する機能を無線基地局１０が有する構成としてもよい。
【０２３５】
本明細書において、基地局によって行われるとした動作は、場合によってはその上位ノード（upper  node）によって行われることもある。基地局を有する１つ又は複数のネットワークノード（network  nodes）を含むネットワークにおいて、端末との通信のために行われる様々な動作は、基地局、基地局以外の１つ以上のネットワークノード（例えば、ＭＭＥ（Mobility  Management  Entity）、Ｓ−ＧＷ（Serving-Gateway）などが考えられるが、これらに限られない）又はこれらの組み合わせによって行われ得ることは明らかである。
【０２３６】
本明細書において説明した各態様／実施形態は単独で用いてもよいし、組み合わせて用いてもよいし、実行に伴って切り替えて用いてもよい。また、本明細書で説明した各態様／実施形態の処理手順、シーケンス、フローチャートなどは、矛盾の無い限り、順序を入れ替えてもよい。例えば、本明細書で説明した方法については、例示的な順序で様々なステップの要素を提示しており、提示した特定の順序に限定されない。
【０２３７】
本明細書において説明した各態様／実施形態は、ＬＴＥ（Long  Term  Evolution）、ＬＴＥ−Ａ（LTE-Advanced）、ＬＴＥ−Ｂ（LTE-Beyond）、ＳＵＰＥＲ  ３Ｇ、ＩＭＴ−Ａｄｖａｎｃｅｄ、４Ｇ（4th  generation  mobile  communication  system）、５Ｇ（5th  generation  mobile  communication  system）、ＦＲＡ（Future  Radio  Access）、Ｎｅｗ−ＲＡＴ（Radio  Access  Technology）、ＮＲ（New  Radio）、ＮＸ（New  radio  access）、ＦＸ（Future  generation  radio  access）、ＧＳＭ（登録商標）（Global  System  for  Mobile  communications）、ＣＤＭＡ２０００、ＵＭＢ（Ultra  Mobile  Broadband）、ＩＥＥＥ  ８０２．１１（Ｗｉ−Ｆｉ（登録商標））、ＩＥＥＥ  ８０２．１６（ＷｉＭＡＸ（登録商標））、ＩＥＥＥ  ８０２．２０、ＵＷＢ（Ultra-WideBand）、Ｂｌｕｅｔｏｏｔｈ（登録商標）、その他の適切な無線通信方法を利用するシステム及び／又はこれらに基づいて拡張された次世代システムに適用されてもよい。
【０２３８】
本明細書において使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【０２３９】
本明細書において使用する「第１の」、「第２の」などの呼称を使用した要素へのいかなる参照も、それらの要素の量又は順序を全般的に限定しない。これらの呼称は、２つ以上の要素間を区別する便利な方法として本明細書において使用され得る。したがって、第１及び第２の要素の参照は、２つの要素のみが採用され得ること又は何らかの形で第１の要素が第２の要素に先行しなければならないことを意味しない。
【０２４０】
本明細書において使用する「判断（決定）（determining）」という用語は、多種多様な動作を包含する場合がある。例えば、「判断（決定）」は、計算（calculating）、算出（computing）、処理（processing）、導出（deriving）、調査（investigating）、探索（looking  up）（例えば、テーブル、データベース又は別のデータ構造での探索）、確認（ascertaining）などを「判断（決定）」することであるとみなされてもよい。また、「判断（決定）」は、受信（receiving）（例えば、情報を受信すること）、送信（transmitting）（例えば、情報を送信すること）、入力（input）、出力（output）、アクセス（accessing）（例えば、メモリ中のデータにアクセスすること）などを「判断（決定）」することであるとみなされてもよい。また、「判断（決定）」は、解決（resolving）、選択（selecting）、選定（choosing）、確立（establishing）、比較（comparing）などを「判断（決定）」することであるとみなされてもよい。つまり、「判断（決定）」は、何らかの動作を「判断（決定）」することであるとみなされてもよい。
【０２４１】
本明細書において使用する「接続された（connected）」、「結合された（coupled）」という用語、又はこれらのあらゆる変形は、２又はそれ以上の要素間の直接的又は間接的なあらゆる接続又は結合を意味し、互いに「接続」又は「結合」された２つの要素間に１又はそれ以上の中間要素が存在することを含むことができる。要素間の結合又は接続は、物理的であっても、論理的であっても、あるいはこれらの組み合わせであってもよい。例えば、「接続」は「アクセス」と読み替えられてもよい。
【０２４２】
本明細書において、２つの要素が接続される場合、１又はそれ以上の電線、ケーブル及び／又はプリント電気接続を用いて、並びにいくつかの非限定的かつ非包括的な例として、無線周波数領域、マイクロ波領域及び／又は光（可視及び不可視の両方）領域の波長を有する電磁エネルギーなどを用いて、互いに「接続」又は「結合」されると考えることができる。
【０２４３】
本明細書において、「ＡとＢが異なる」という用語は、「ＡとＢが互いに異なる」ことを意味してもよい。「離れる」、「結合される」などの用語も同様に解釈されてもよい。
【０２４４】
本明細書又は請求の範囲において、「含む（including）」、「含んでいる（comprising）」、及びそれらの変形が使用されている場合、これらの用語は、用語「備える」と同様に、包括的であることが意図される。さらに、本明細書あるいは請求の範囲において使用されている用語「又は（or）」は、排他的論理和ではないことが意図される。
【０２４５】
以上、本発明について詳細に説明したが、当業者にとっては、本発明が本明細書中に説明した実施形態に限定されないということは明らかである。本発明は、請求の範囲の記載に基づいて定まる本発明の趣旨及び範囲を逸脱することなく修正及び変更態様として実施することができる。したがって、本明細書の記載は、例示説明を目的とし、本発明に対して何ら制限的な意味をもたらさない。
【図１】
2019163111.tif 000003
【図２】
2019163111.tif 000004
【図３】
2019163111.tif 000005
【図４】
2019163111.tif 000006
【図５】
2019163111.tif 000007
【図６】
2019163111.tif 000008
【図７】
2019163111.tif 000009
【図８】
2019163111.tif 000010
【図９】
2019163111.tif 000011
【図１０】
2019163111.tif 000012
【図１１】
2019163111.tif 000013
【図１２】
2019163111.tif 000014
【図１３】
2019163111.tif 000015
【図１４】
2019163111.tif 000016
【図１５】
2019163111.tif 000017
【図１６】
2019163111.tif 000018
【図１７】
2019163111.tif 000019
【図１８】
2019163111.tif 000020
【国際調査報告】
2019163111.tif 000021
2019163111.tif 000022